(57)【要約】【課題】ユーザの操作あるいは設定の手間を増すことなく、動きのある画像での画質改善および視聴者の疲労感の軽減を図る。【解決手段】ディスクプレーヤ２１０からテレビ受信機２５０に、立体画像を表示するための左眼画像データおよび右眼画像データを、ＨＤＭＩケーブル３５０で送る。ディスクプレーヤ２１０で再生される左眼画像データおよび右眼画像データの撮影タイミングと、テレビ受信機２５０で表示される左眼画像および右眼画像の表示タイミングが異なる場合には、ディスクプレーヤ２１０あるいはテレビ受信機２５０で、左眼画像データおよび右眼画像データのタイミングが、左眼画像および右眼画像の表示タイミングに合うように、補正する。ディスクプレーヤ２１０は、テレビ受信機２５０から表示タイミング情報を取得して用いる。テレビ受信機２５０は、ディスクプレーヤ２１０から撮影タイミング情報を取得して用いる。【選択図】図１
2010263382.tif 000002
【特許請求の範囲】
【請求項１】
立体画像を表示するための左眼画像データおよび右眼画像データを出力する画像データ出力部と、
上記画像データ出力部から出力された上記左眼画像データおよび上記右眼画像データのタイミングを補正するタイミング補正部と、
上記タイミング補正部から出力された上記左眼画像データおよび上記右眼画像データを含む立体画像データを、伝送路を介して外部機器に送信するデータ送信部を備え、
上記タイミング補正部は、左眼画像および右眼画像の表示タイミング情報に基づいて、上記左眼画像データおよび上記右眼画像データのタイミングを、上記左眼画像および上記右眼画像の表示タイミングに合わせる
送信装置。
【請求項２】
上記外部機器から、上記左眼画像および上記右眼画像の表示タイミング情報を、上記伝送路を介して取得する情報取得部をさらに備える
請求項１に記載の送信装置。
【請求項３】
左眼画像および右眼画像の表示タイミングをユーザが設定するユーザ設定部をさらに備え、
上記左眼画像および上記右眼画像の表示タイミング情報は、上記ユーザ設定部により設定された上記左眼画像および上記右眼画像の表示タイミングを示す情報である
請求項１に記載の送信装置。
【請求項４】
上記タイミング補正部は、上記左眼画像データおよび上記右眼画像データの双方のタイミングを補正して、上記左眼画像データおよび上記右眼画像データのタイミングを上記左眼画像および上記右眼画像の表示タイミングに合わせる
請求項１〜３のいずれかに記載の送信装置。
【請求項５】
上記タイミング補正部は、上記左眼画像データおよび上記右眼画像データの一方のタイミングを補正して、上記左眼画像データおよび上記右眼画像データのタイミングを上記左眼画像および上記右眼画像の表示タイミングに合わせる
請求項１〜３のいずれかに記載の送信装置。
【請求項６】
上記左眼画像データおよび上記右眼画像データから上記タイミングを補正する一方の画像データを選択する画像データ選択部をさらに備える
請求項５に記載の送信装置。
【請求項７】
上記データ送信部は、上記外部機器に、上記立体画像データを、複数チャネルで、差動信号により、上記伝送路を介して送信する
請求項１〜３のいずれかに記載の送信装置。
【請求項８】
上記データ送信部は、上記外部機器に、上記立体画像データを、複数チャネルで、差動信号により、上記伝送路を介して送信し、
上記情報取得部は、上記表示タイミング情報を、上記外部機器が有する記憶部から読み出して取得する
請求項２に記載の送信装置。
【請求項９】
立体画像を表示するための左眼画像データおよび右眼画像データを出力する画像データ出力ステップと、
上記画像データ出力ステップで出力された上記左眼画像データおよび上記右眼画像データのタイミングを補正するタイミング補正ステップと、
上記タイミング補正ステップでタイミングが補正された上記左眼画像データおよび上記右眼画像データを含む立体画像データを、伝送路を介して外部機器に送信するデータ送信ステップと、
上記外部機器から左眼画像および右眼画像の表示タイミング情報を、上記伝送路を介して取得する情報取得ステップを備え、
上記タイミング補正ステップでは、上記情報取得ステップで取得された表示タイミング情報に基づいて、上記左眼画像データおよび上記右眼画像データのタイミングを上記左眼画像および上記右眼画像の表示タイミングに合わせる
立体画像データの送信方法。
【請求項１０】
立体画像を表示するための左眼画像データおよび右眼画像データを出力する画像データ出力ステップと、
上記画像データ出力ステップで出力された上記左眼画像データおよび上記右眼画像データのタイミングを補正するタイミング補正ステップと、
上記タイミング補正ステップでタイミングが補正された上記左眼画像データおよび上記右眼画像データを含む立体画像データを、伝送路を介して外部機器に送信するデータ送信ステップと、
左眼画像および右眼画像の表示タイミングを、ユーザに設定させるユーザ設定ステップを備え、
上記タイミング補正ステップでは、上記ユーザ設定ステップで設定された表示タイミングの情報に基づいて、上記左眼画像データおよび上記右眼画像データのタイミングを上記左眼画像および上記右眼画像の表示タイミングに合わせる
立体画像データの送信方法。
【請求項１１】
外部機器から、伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データによる左眼画像および上記データ処理部で得られた上記右眼画像データによる右眼画像の表示タイミング情報を、上記伝送路を介して、上記外部機器に供給する情報供給部を備え、
上記データ受信部は、上記外部機器から、上記左眼画像および上記右眼画像の表示タイミングに合わせたタイミングを持つ上記左眼画像データおよび上記右眼画像データを含む立体画像データを受信する
受信装置。
【請求項１２】
外部機器から、伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データおよび上記右眼画像データのタイミングを補正するタイミング補正部を備え、
上記タイミング補正部は、上記左眼画像データおよび上記右眼画像データのタイミングを、該左眼画像データによる左眼画像および該右眼画像データによる右眼画像の表示タイミングに合わせる
受信装置。
【請求項１３】
上記外部機器から、上記左眼画像データおよび上記右眼画像データの撮影タイミング情報を、上記伝送路を介して取得する情報取得部を備え、
上記タイミング補正部は、上記情報取得部で取得された上記撮影タイミング情報に基づいて、上記左眼画像データおよび上記右眼画像データのタイミングを、該左眼画像データによる左眼画像および該右眼画像データによる右眼画像の表示タイミングに合わせる
請求項１２に記載の受信装置。
【請求項１４】
上記タイミング補正部は、上記左眼画像データおよび上記右眼画像データのタイミングが同じであると見なして、上記左眼画像データおよび上記右眼画像データのタイミングを、該左眼画像データによる左眼画像および該右眼画像データによる右眼画像の表示タイミングに合わせる
請求項１２に記載の受信装置。
【請求項１５】
上記左眼画像データおよび上記右眼画像データのタイミングをユーザに設定させるユーザ設定部を備え、
上記タイミング補正部は、上記ユーザ設定部で設定されたタイミングの情報に基づいて、上記左眼画像データおよび上記右眼画像データのタイミングを、該左眼画像データによる左眼画像および該右眼画像データによる右眼画像の表示タイミングに合わせる
請求項１２に記載の受信装置。
【請求項１６】
上記タイミング補正部は、上記左眼画像データおよび上記右眼画像データの双方のタイミングを補正して、上記左眼画像データおよび上記右眼画像データのタイミングを上記左眼画像および上記右眼画像の表示タイミングに合わせる
請求項１２〜１５のいずれかに記載の受信装置。
【請求項１７】
上記タイミング補正部は、上記左眼画像データおよび上記右眼画像データの一方のタイミングを補正して、上記左眼画像データおよび上記右眼画像データのタイミングを上記左眼画像および上記右眼画像の表示タイミングに合わせる
請求項１２〜１５のいずれかに記載の受信装置。
【請求項１８】
上記左眼画像データおよび上記右眼画像データから上記タイミングを補正する一方の画像データを選択する画像データ選択部をさらに備える
請求項１７に記載の受信装置。
【請求項１９】
上記タイミング補正部は、上記撮影タイミング情報が上記左眼画像データおよび上記右眼画像データが交互に撮影されたことを示し、上記左眼画像および上記右眼画像の表示タイミングが同時であるとき、上記左眼画像データおよび上記右眼画像データを倍フレームレートの画像データに変換することで、上記左眼画像データおよび上記右眼画像データのタイミングを上記左眼画像および上記右眼画像の表示タイミングに合わせる
請求項１３に記載の受信装置。
【請求項２０】
上記データ受信部は、上記外部機器から、複数チャネルで差動信号により、上記伝送路を介して、上記立体画像データを受信する
請求項１２〜１５のいずれかに記載の受信装置。
【請求項２１】
上記データ受信部は、上記外部機器から、複数チャネルで差動信号により、上記伝送路を介して、上記立体画像データを受信し、
上記情報取得部は、上記撮影タイミング情報を、上記データ受信部で受信された上記立体画像データのブランキング期間から抽出して取得する
請求項１３に記載の受信装置。
【請求項２２】
外部機器から、伝送路を介して、立体画像を表示するための左眼画像データおよび右眼画像データを含む立体画像データを受信するデータ受信ステップと、
上記データ受信ステップで受信された立体画像データを処理して上記左眼画像データおよび上記右眼画像データを得るデータ処理ステップと、
上記データ処理ステップで得られた上記左眼画像データおよび上記右眼画像データのタイミングを補正するタイミング補正ステップと、
上記外部機器から、上記左眼画像データおよび上記右眼画像データの撮影タイミング情報を、上記伝送路を介して取得する情報取得ステップを備え、
上記タイミング補正ステップでは、上記情報取得ステップで取得された撮影タイミング情報に基づいて、上記左眼画像データおよび上記右眼画像データのタイミングを、該左眼画像データによる左眼画像および該右眼画像データによる右眼画像の表示タイミングに合わせる
立体画像データの受信方法。
【請求項２３】
外部機器から、伝送路を介して、立体画像を表示するための左眼画像データおよび右眼画像データを含む立体画像データを受信するデータ受信ステップと、
上記データ受信ステップで受信された立体画像データを処理して上記左眼画像データおよび上記右眼画像データを得るデータ処理ステップと、
上記データ処理ステップで得られた上記左眼画像データおよび上記右眼画像データのタイミングを補正するタイミング補正ステップと、
上記左眼画像データおよび上記右眼画像データのタイミングを、ユーザに設定させるユーザ設定ステップを備え、
上記タイミング補正ステップでは、上記ユーザ設定ステップで設定された上記左眼画像データおよび上記右眼画像データのタイミングの情報に基づいて、上記左眼画像データおよび上記右眼画像データのタイミングを、該左眼画像データによる左眼画像および該右眼画像データによる右眼画像の表示タイミングに合わせる
立体画像データの受信方法。
【請求項２４】
立体画像を表示するための左眼画像データおよび右眼画像データを出力する画像データ出力部と、
上記画像データ出力部で出力された上記左眼画像データおよび上記右眼画像データを含む立体画像データを、伝送路を介して外部機器に送信するデータ送信部と、
上記画像データ出力部で出力された上記左眼画像データおよび上記右眼画像データの撮影タイミング情報を、上記伝送路を介して、上記外部機器に供給する情報供給部
を備える送信装置。
【請求項２５】
立体画像を表示するための左眼画像データおよび右眼画像データを動的に生成する画像データ生成部と、
上記画像データ生成部で生成された上記左眼画像データおよび上記右眼画像データを含む立体画像データを、伝送路を介して外部機器に送信するデータ送信部を備え、
上記画像データ生成部は、左眼画像および右眼画像の表示タイミング情報に基づいて、上記動的に生成する上記左眼画像データおよび上記右眼画像データのタイミングを左眼画像および右眼画像の表示タイミングに合わせる
送信装置。
【請求項２６】
上記外部機器から、上記左眼画像および上記右眼画像の表示タイミング情報を、上記伝送路を介して取得する情報取得部を備える
請求項２５に記載の送信装置。
【請求項２７】
左眼画像および右眼画像の表示タイミングをユーザが設定するユーザ設定部を備え、
上記左眼画像および上記右眼画像の表示タイミング情報は、上記ユーザ設定部により設定された上記左眼画像および上記右眼画像の表示タイミングを示す情報である
請求項２５に記載の送信装置。
【請求項２８】
上記データ送信部は、上記外部機器に、上記立体画像データを、複数チャネルで、差動信号により、上記伝送路を介して送信する
請求項２５〜２７に記載の送信装置。
【請求項２９】
上記データ送信部は、上記外部機器に、上記立体画像データを、複数チャネルで、差動信号により、上記伝送路を介して送信し、
上記情報取得部は、上記表示タイミング情報を、上記外部機器が有する記憶部から読み出して取得する
請求項２６に記載の送信装置。
【請求項３０】
立体画像を表示するための左眼画像データおよび右眼画像データを動的に生成する画像データ生成ステップと、
上記画像データ生成ステップで生成された上記左眼画像データおよび上記右眼画像データを含む立体画像データを、伝送路を介して外部機器に送信するデータ送信ステップと、
上記外部機器から左眼画像および右眼画像の表示タイミング情報を、上記伝送路を介して取得する情報取得ステップを備え、
上記画像データ生成ステップでは、上記情報取得ステップで取得された表示タイミング情報に基づいて、上記左眼画像データおよび上記右眼画像データのタイミングを上記左眼画像および上記右眼画像の表示タイミングに合わせる
立体画像データの送信方法。
【請求項３１】
立体画像を表示するための左眼画像データおよび右眼画像データを動的に生成する画像データ生成ステップと、
上記画像データ生成ステップで生成された上記左眼画像データおよび上記右眼画像データを含む立体画像データを、伝送路を介して外部機器に送信するデータ送信ステップと、
左眼画像および右眼画像の表示タイミングを、ユーザに設定させるユーザ設定ステップを備え、
上記画像データ生成ステップでは、上記ユーザ設定ステップで設定された表示タイミングの情報に基づいて、上記左眼画像データおよび上記右眼画像データのタイミングを上記左眼画像および上記右眼画像の表示タイミングに合わせる
立体画像データの送信方法。
【請求項３２】
第１の外部機器から、第１の伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データおよび上記右眼画像データのタイミングを補正するタイミング補正部と、
上記タイミング補正部から出力された上記左眼画像データおよび上記右眼画像データを含む立体画像データを、第２の伝送路を介して第２の外部機器に送信するデータ送信部を備え、
上記タイミング補正部は、上記左眼画像データおよび上記右眼画像データのタイミングを、左眼画像および右眼画像の表示タイミングに合わせる
中継装置。
【請求項３３】
上記第１の外部機器から、上記左眼画像データおよび上記右眼画像データの撮影タイミング情報を、上記第１の伝送路を介して取得する第１の情報取得部と、
上記第２の外部機器から上記左眼画像および上記右眼画像の表示タイミング情報を、上記第２の伝送路を介して取得する第２の情報取得部を備え、
上記タイミング補正部は、上記第１の情報取得部で取得された撮影タイミング情報および上記第２の情報取得部で取得された表示タイミング情報に基づいて、上記左眼画像データおよび上記右眼画像データのタイミングを、上記左眼画像および上記右眼画像の表示タイミングに合わせる
請求項３２に記載の中継装置。
【請求項３４】
上記左眼画像および上記右眼画像の表示タイミングをユーザが設定する第１のユーザ設定部と、
上記左眼画像データおよび上記右眼画像データのタイミングをユーザが設定する第２のユーザ設定部を備え、
上記タイミング補正部は、上記第１ユーザ設定部により設定された上記左眼画像および上記右眼画像の表示タイミングを示す情報および上記第２のユーザ設定部により設定された上記左眼画像データおよび上記右眼画像データのタイミングを示す情報に基づいて、上記左眼画像データおよび上記右眼画像データのタイミングを、上記左眼画像および上記右眼画像の表示タイミングに合わせる
請求項３２に記載の中継装置。
【請求項３５】
上記左眼画像および上記右眼画像の表示タイミングをユーザが設定するユーザ設定部を備え、
上記タイミング補正部は、上記左眼画像データおよび上記右眼画像データのタイミングが同じであると見なすと共に、上記ユーザ設定部で設定された上記左眼画像および上記右眼画像の表示タイミングを示す情報に基づいて、上記左眼画像データおよび上記右眼画像データのタイミングを、上記左眼画像および上記右眼画像の表示タイミングに合わせる
請求項３２に記載の中継装置。
【請求項３６】
上記タイミング補正部は、上記左眼画像データおよび上記右眼画像データの双方のタイミングを補正して、上記左眼画像データおよび上記右眼画像データのタイミングを上記左眼画像および上記右眼画像の表示タイミングに合わせる
請求項３２〜３５のいずれかに記載の中継装置。
【請求項３７】
上記タイミング補正部は、上記左眼画像データおよび上記右眼画像データの一方のタイミングを補正して、上記左眼画像データおよび上記右眼画像データのタイミングを上記左眼画像および上記右眼画像の表示タイミングに合わせる
請求項３２〜３５のいずれかに記載の中継装置。
【請求項３８】
上記左眼画像データおよび上記右眼画像データから上記タイミングを補正する一方の画像データを選択する画像データ選択部をさらに備える
請求項３７に記載の中継装置。
【請求項３９】
上記データ受信部は、上記第１の外部機器から、複数チャネルで差動信号により、上記第１の伝送路を介して、上記立体画像データを受信し、
上記データ送信部は、上記第２の外部機器に、上記立体画像データを、複数チャネルで、差動信号により、上記第２の伝送路を介して送信する
請求項３２〜３５のいずれかに記載の中継装置。
【請求項４０】
上記データ受信部は、上記第１の外部機器から、複数チャネルで差動信号により、上記第１の伝送路を介して、上記立体画像データを受信し、
上記データ送信部は、上記第２の外部機器に、上記立体画像データを、複数チャネルで、差動信号により、上記第２の伝送路を介して送信し、
上記第１の情報取得部は、上記撮影タイミング情報を、上記データ受信部で受信された上記立体画像データのブランキング期間から抽出して取得し、
上記第２の情報取得部は、上記表示タイミング情報を、上記第２の外部機器が有する記憶部から読み出して取得する
請求項３３に記載の中継装置。
【請求項４１】
第１の外部機器から、第１の伝送路を介して、立体画像を表示するための左眼画像データおよび右眼画像データを含む立体画像データを受信するデータ受信ステップと、
上記データ受信ステップで受信された立体画像データを処理して上記左眼画像データおよび上記右眼画像データを得るデータ処理ステップと、
上記データ処理ステップで得られた上記左眼画像データおよび上記右眼画像データのタイミングを補正するタイミング補正ステップと、
上記第１の外部機器から、上記左眼画像データおよび上記右眼画像データの撮影タイミング情報を、上記第１の伝送路を介して取得する第１の情報取得ステップと、
上記タイミング補正ステップでタイミング補正された上記左眼画像データおよび上記右眼画像データを含む立体画像データを、第２の伝送路を介して第２の外部機器に送信するデータ送信ステップと、
上記第２の外部機器から左眼画像および右眼画像の表示タイミング情報を、上記第２の伝送路を介して取得する第２の情報取得ステップを備え、
上記タイミング補正ステップでは、上記第１の情報取得ステップで取得された撮影タイミング情報および上記第２の情報取得ステップで取得された表示タイミング情報に基づいて、上記左眼画像データおよび上記右眼画像データのタイミングを、上記左眼画像および上記右眼画像の表示タイミングに合わせる
立体画像データの中継方法。
【請求項４２】
第１の外部機器から、第１の伝送路を介して、立体画像を表示するための左眼画像データおよび右眼画像データを含む立体画像データを受信するデータ受信ステップと、
上記データ受信ステップで受信された立体画像データを処理して上記左眼画像データおよび上記右眼画像データを得るデータ処理ステップと、
上記データ処理ステップで得られた上記左眼画像データおよび上記右眼画像データのタイミングを補正するタイミング補正ステップと、
上記左眼画像データおよび上記右眼画像データのタイミングを、ユーザに設定させる第１のユーザ設定ステップと、
上記タイミング補正ステップでタイミング補正された上記左眼画像データおよび上記右眼画像データを含む立体画像データを、第２の伝送路を介して第２の外部機器に送信するデータ送信ステップと、
左眼画像および右眼画像の表示タイミングを、ユーザに設定させる第２のユーザ設定ステップを備え、
上記タイミング補正ステップでは、上記第１のユーザ設定ステップで設定された撮影タイミング情報および上記第２のユーザ設定ステップで設定された表示タイミング情報に基づいて、上記左眼画像データおよび上記右眼画像データのタイミングを、上記左眼画像および上記右眼画像の表示タイミングに合わせる
立体画像データの中継方法。
【発明の詳細な説明】
【技術分野】
【０００１】
この発明は、送信装置、立体画像データの送信方法、受信装置、立体画像データの受信方法、中継装置および立体画像データの中継方法に関し、特に、立体画像を表示するための左眼画像データおよび右眼画像データを含む立体画像データを送信する送信装置等に関する。
【背景技術】
【０００２】
近年、例えば、ＤＶＤ(Digital Versatile Disc)レコーダや、セットトップボックス、その他のＡＶソース（Audio Visual source）から、テレビ受信機、プロジェクタ、その他のディスプレイに対して、デジタル映像信号、すなわち、非圧縮（ベースバンド）の映像信号（画像データ）と、その映像信号に付随するデジタル音声信号（音声データ）とを、高速に伝送する通信インタフェースとして、ＨＤＭＩ(High Definition Multimedia Interface)等が普及しつつある。例えば、非特許文献１には、ＨＤＭＩ規格の詳細についての記載がある。
【先行技術文献】
【非特許文献】
【０００３】
【非特許文献１】High-Definition Multimedia Interface Specification Version1.3a,November 10 2006
【発明の概要】
【発明が解決しようとする課題】
【０００４】
例えば、ＡＶソースからディスプレイに対して、立体画像を表示するための左眼画像データおよび右眼画像データを含む立体画像データを送信して、ディスプレイにおいて、両眼視差を利用した立体画像表示を行うことが考えられる。
【０００５】
立体画像の表示方式は、表示タイミングに関して、以下の２種類に大別できる。一つは、左眼画像および右眼画像が同じタイミングで表示される方式である。この方式には、アナグリフ方式、偏光メガネ方式、裸眼方式が含まれる。他の一つは、左眼画像および右眼画像が交互に表示される方式である。この方式には、シャッターグラス方式が含まれる。
【０００６】
アナグリフ方式では、補色関係にある２色（主に赤と青）が用いられて両眼視差のついた左眼画像および右眼画像が構成され、それらを左右眼に分割して呈示するために、共通の透過波長域を持たないカラーフィルタが付加されたグラスが用いられる。また、偏光メガネ方式では、偏光面が直交した２つの直線偏光が用いられて左眼画像および右眼画像が構成され、それらを左右眼に分割して呈示するために、偏光フィルタが付加されたグラスが用いられる。
【０００７】
また、裸眼方式は、ディスプレイに左眼画像および右眼画像の縦ストライプ状の分割画像が交互に表示され、それらを左右眼に分割して呈示するために、パララックスバリア、レンチキュラが用いられる。また、シャッターグラス方式では、左眼画像および右眼画像が、例えば倍フレームレートで交互に表示され、それらを左右眼に分割して呈示するために、液晶シャッタが付加されたグラスが用いられる。
【０００８】
また、左眼画像データおよび右眼画像データは、撮影タイミングに関して、以下の２種類に大別できる。一つは、左眼画像データおよび右眼画像データは、左眼画像および右眼画像を同じタイミングで撮影して得られたものである。この場合、例えば、左眼画像データおよび右眼画像データは、左右の画像が、２眼のカメラで、同期を合わせて同じタイミングで撮影することで得られる。
【０００９】
他の一つは、左眼画像データおよび右眼画像データは、左眼画像および右眼画像が交互に倍フレームレートで撮影して得られたものである。この場合、例えば、左眼画像データおよび右眼画像データは、１眼のカメラで、液晶シャッタ、プリズム等を用いた構成により、交互に倍フレームレートで撮影することで得られる。
【００１０】
上述したように、ＡＶソースからディスプレイに対して立体画像を表示するための左眼画像データおよび右眼画像データを含む立体画像データを送信し、ディスプレイにおいて両眼視差を利用した立体画像表示を行う場合、左眼画像データおよび右眼画像データの撮影タイミングが、左眼画像および右眼画像の表示タイミングと異なっている場合には、動きのある画像で画質が低下し、また、視聴者の疲労感が増す等の不都合がある。
【００１１】
ここで、撮影タイミングと表示タイミングが異なる場合には、以下の２通りがある。一つは、左眼画像データおよび右眼画像データが交互に撮影して得られたものであり、左眼画像および右眼画像が同じタイミングで表示される場合である。他の一つは、左眼画像データおよび右眼画像データが同じタイミングで撮影して得られたものであり、左眼画像および右眼画像が交互に表示される場合である。
【００１２】
なお、上述のＡＶソースがゲーム機である場合も考えられる。ゲーム機では、ゲーム画像としての立体画像を表示する左眼画像データおよび右眼画像データが動的に生成される。このようにゲーム機で生成される左眼画像データおよび右眼画像データのタイミング（撮影タイミングに相当するタイミング）としては、左眼画像データおよび右眼画像データが同じタイミングになるようにすることもできるし、左眼画像データおよび右眼画像データが交互に倍フレームレートになるようにすることもできる。ゲーム機で生成される左眼画像データおよび右眼画像データのタイミングが、ディスプレイにおける左眼画像および右眼画像の表示タイミングと異なっている場合にも、動きのある画像で画質が低下し、また、視聴者の疲労感が増す等の不都合がある。
【００１３】
この発明の目的は、ユーザの操作あるいは設定の手間を増すことなく、動きのある画像での画質改善および視聴者の疲労感の軽減を図ることにある。
【課題を解決するための手段】
【００１４】
この発明の概念は、
立体画像を表示するための左眼画像データおよび右眼画像データを出力する画像データ出力部と、
上記画像データ出力部から出力された上記左眼画像データおよび右眼画像データのタイミングを補正するタイミング補正部と、
上記タイミング補正部から出力された上記左眼画像データおよび上記右眼画像データを含む立体画像データを、伝送路を介して外部機器に送信するデータ送信部を備え、
上記タイミング補正部は、左眼画像および右眼画像の表示タイミング情報に基づいて、上記左眼画像データおよび上記右眼画像データのタイミングを上記左眼画像および上記右眼画像の表示タイミングに合わせる
送信装置にある。
【００１５】
また、この発明の概念は、
外部機器から、伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データによる左眼画像および上記データ処理部で得られた上記右眼画像データによる右眼画像の表示タイミング情報を、上記伝送路を介して、上記外部機器に供給する情報供給部を備え、上記データ受信部は、上記外部機器から、上記左眼画像および上記右眼画像の表示タイミングに合わせたタイミングを持つ上記左眼画像データおよび右眼画像データを含む立体画像データを受信する
受信装置にある。
【００１６】
この発明において、送信装置は、データ送信部により、画像データ出力部から出力される立体画像を表示するための左眼画像データおよび右眼画像データを含む立体画像データを、伝送路を介して外部機器（受信装置）に送信する。受信装置は、データ受信部により、外部機器（送信装置）から、伝送路を介して、立体画像を表示するための左眼画像データおよび右眼画像データを含む立体画像データを受信し、データ処理部によりこの立体画像データを処理して左眼画像データおよび右眼画像データを得る。
【００１７】
送信装置は、タイミング補正部により、左眼画像および右眼画像の表示タイミング情報に基づいて、画像データ出力部から出力される左眼画像データおよび右眼画像データのタイミングを、左眼画像および右眼画像の表示タイミングに合わせる。例えば、送信装置は、情報取得部により、伝送路を介して、外部機器（受信装置）から左眼画像および右眼画像の表示タイミング情報を取得する。また、例えば、送信装置は、左眼画像および右眼画像の表示タイミング情報として、ユーザ設定部により設定された左眼画像および右眼画像の表示タイミングを示す情報を用いる。
【００１８】
受信装置は、データ受信部により、左眼画像および右眼画像の表示タイミングに合わせたタイミングを持つ左眼画像データおよび右眼画像データを含む立体画像データを受信する。上述したように送信装置が左眼画像および右眼画像の表示タイミング情報を取得するものにあっては、受信装置は、当該表示タイミング情報を、伝送路を介して、外部機器（送信装置）に供給する。
【００１９】
例えば、送信装置のデータ送信部は、外部機器に、立体画像データを、複数チャネルで、差動信号により、伝送路を介して送信する。そして、例えば、送信装置の情報取得部は、外部機器（受信装置）が有する記憶部、例えばＥＤＩＤＲＯＭから、左眼画像および右眼画像の表示タイミング情報を取得する。
【００２０】
例えば、送信装置のタイミング補正部は、左眼画像データおよび右眼画像データの双方のタイミングを補正して、左眼画像データおよび右眼画像データのタイミングを左眼画像および右眼画像の表示タイミングに合わせる。この場合、タイミング補正時における左右の画像の画質劣化を同程度にできる。
【００２１】
また、例えば、送信装置のタイミング補正部は、左眼画像データおよび右眼画像データの一方のタイミングを補正して、左眼画像データおよび右眼画像データのタイミングを左眼画像および右眼画像の表示タイミングに合わせる。例えば、左眼画像データおよび右眼画像データからタイミングを補正する一方の画像データを選択する画像データ選択部がさらに備えられる。この場合、タイミングを補正する一方の画像データを効き目ではない方の画像を表示する画像データとすることで、タイミング補正時における画質劣化の影響を抑えることができる。
【００２２】
このように、送信装置においては、左眼画像および右眼画像の表示タイミングに合うようにタイミング補正された左眼画像データおよび右眼画像データが外部機器（受信装置）に送信される。したがって、受信装置側において、受信された左眼画像データおよび右眼画像データのタイミングと、それらの画像データにより表示される左眼画像および右眼画像の表示タイミングとが一致したものとなる。そのため、動きのある画像で画質を改善でき、また、視聴者の疲労感の軽減を図ることができる。また、送信装置が、受信装置から左眼画像および右眼画像の表示タイミング情報を取得し、この表示タイミング情報に基づいて左眼画像データおよび右眼画像データのタイミングを補正する場合には、ユーザの操作あるいは設定の手間が増加することがなく、また、ユーザの誤った操作、設定がないため常に正確なタイミング補正が可能となる。
【００２３】
この発明の概念は、
外部機器から、伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データおよび上記右眼画像データのタイミングを補正するタイミング補正部を備え、
上記タイミング補正部は、上記左眼画像データおよび上記右眼画像データのタイミングを、該左眼画像データによる左眼画像および該右眼画像データによる右眼画像の表示タイミングに合わせる
受信装置にある。
【００２４】
また、この発明の概念は、
立体画像を表示するための左眼画像データおよび右眼画像データを出力する画像データ出力部と、
上記画像データ出力部で出力された上記左眼画像データおよび上記右眼画像データを含む立体画像データを、伝送路を介して外部機器に送信するデータ送信部と、
上記画像データ出力部で出力された上記左眼画像データおよび上記右眼画像データの撮影タイミング情報を、上記伝送路を介して、上記外部機器に供給する情報供給部
を備える送信装置にある。
【００２５】
この発明において、送信装置は、データ送信部により、画像データ出力部から出力される立体画像を表示するための左眼画像データおよび右眼画像データを含む立体画像データを、伝送路を介して外部機器（受信装置）に送信する。受信装置は、データ受信部により、外部機器（送信装置）から、伝送路を介して、立体画像を表示するための左眼画像データおよび右眼画像データを含む立体画像データを受信し、データ処理部によりこの立体画像データを処理して左眼画像データおよび右眼画像データを得る。
【００２６】
受信装置は、タイミング補正部により、受信された左眼画像データおよび右眼画像データのタイミングを左眼画像およびその右眼画像の表示タイミングに合わせる。例えば、受信装置は、情報取得部により、伝送路を介して、外部機器（送信装置）から左眼画像データおよび右眼画像データの撮影タイミング情報を取得する。また、例えば、受信装置は、ユーザ設定部により設定された左眼画像データおよび右眼画像データのタイミングを示す情報を用いる。また、例えば、受信装置は、左眼画像データおよび右眼画像データのタイミングが同じであると見なして、タイミング補正を行う。
【００２７】
例えば、受信装置のデータ受信部は、外部機器から、複数チャネルで差動信号により、伝送路を介して、立体画像データを受信する。上述したように受信装置が左眼画像データおよび右眼画像データの表示タイミング情報を取得するものにあっては、送信装置は、当該撮影タイミング情報を、伝送路を介して、外部機器（送信装置）に供給する。そして、例えば、受信装置の情報取得部は、左眼画像データおよび右眼画像データの撮影タイミング情報を、データ受信部で受信された立体画像データのブランキング期間から抽出して取得する。
【００２８】
例えば、受信装置のタイミング補正部は、左眼画像データおよび右眼画像データの双方のタイミングを補正して、左眼画像データおよび右眼画像データのタイミングを左眼画像および右眼画像の表示タイミングに合わせる。この場合、タイミング補正時における左右の画像の画質劣化を同程度にできる。
【００２９】
また、例えば、受信装置のタイミング補正部は、左眼画像データおよび右眼画像データの一方のタイミングを補正して、左眼画像データおよび右眼画像データのタイミングを左眼画像および右眼画像の表示タイミングに合わせる。例えば、左眼画像データおよび右眼画像データからタイミングを補正する一方の画像データを選択する画像データ選択部がさらに備えられる。この場合、タイミングを補正する一方の画像データを効き目ではない方の画像を表示する画像データとすることで、タイミング補正時における画質劣化の影響を抑えることができる。
【００３０】
また、例えば、受信装置のタイミング補正部は、撮影タイミング情報が左眼画像データおよび右眼画像データが交互に撮影されたことを示し、左眼画像および右眼画像の表示タイミングが同時であるとき、左眼画像データおよび右眼画像データを倍フレームレートの画像データに変換することで、左眼画像データおよび右眼画像データのタイミングを左眼画像および右眼画像の表示タイミングに合わせる。この場合、左眼画像および右眼画像が倍フレームレートで表示されることから、残像感を低減できる。また、前後の画像データを用いた補間処理により倍フレームレートの画像データを得る場合には、滑らかな動きの画像を表示できる。
【００３１】
このように、受信装置においては、外部機器（送信装置）から受信された左眼画像および右眼画像のタイミングが、左眼画像および右眼画像の表示タイミングに合わせられる。したがって、受信装置側において、左眼画像データおよび右眼画像データのタイミングと、それらの画像データにより表示される左眼画像および右眼画像の表示タイミングとが一致したものとなる。そのため、動きのある画像で画質を改善でき、また、視聴者の疲労感の軽減を図ることができる。
【００３２】
また、受信装置が、送信装置から左眼画像データおよび右眼画像データの撮影タイミング情報を取得し、この撮影タイミング情報に基づいて左眼画像データおよび右眼画像データのタイミングを補正する場合には、ユーザの操作あるいは設定の手間が増加することがなく、また、ユーザの誤った操作、設定がないため常に正確なタイミング補正が可能となる。
【００３３】
この発明の概念は、
立体画像を表示するための左眼画像データおよび右眼画像データを動的に生成する画像データ生成部と、
上記画像データ生成部で生成された上記左眼画像データおよび上記右眼画像データを含む立体画像データを、伝送路を介して外部機器に送信するデータ送信部を備え、
上記画像データ生成部は、左眼画像および右眼画像の表示タイミング情報に基づいて、上記左眼画像データおよび上記右眼画像データのタイミングを上記左眼画像および上記右眼画像の表示タイミングに合わせる
送信装置にある。
【００３４】
この発明において、送信装置は、データ生成部により、立体画像を表示するための左眼画像データおよび右眼画像データを動的に生成する。そして、データ送信部により、画像データ生成部で生成された左眼画像データおよび右眼画像データを含む立体画像データを、伝送路を介して外部機器に送信する。
【００３５】
送信装置は、画像データ生成部により、動的に生成する左眼画像データおよび右眼画像データのタイミングを、左眼画像および右眼画像の表示タイミングに合わせる。例えば、送信装置は、情報取得部により、伝送路を介して、外部機器（受信装置）から左眼画像および右眼画像の表示タイミング情報を取得する。また、例えば、送信装置は、左眼画像および右眼画像の表示タイミング情報として、ユーザ設定部により設定された左眼画像および右眼画像の表示タイミングを示す情報を用いる。
【００３６】
例えば、送信装置のデータ送信部は、外部機器に、立体画像データを、複数チャネルで、差動信号により、伝送路を介して送信する。そして、例えば、送信装置の情報取得部は、外部機器（受信装置）が有する記憶部、例えばＥＤＩＤＲＯＭから、左眼画像および右眼画像の表示タイミング情報を取得する。
【００３７】
このように、送信装置においては、左眼画像および右眼画像の表示タイミングに合うように生成された左眼画像データおよび右眼画像データが外部機器に送信される。したがって、外部機器側において、受信された左眼画像データおよび右眼画像データのタイミングと、それらの画像データにより表示される左眼画像および右眼画像の表示タイミングとが一致したものとなる。そのため、動きのある画像で画質を改善でき、また、視聴者の疲労感の軽減を図ることができる。また、送信装置が、受信装置から左眼画像および右眼画像の表示タイミング情報を取得し、この表示タイミング情報に基づいて、画像データ生成部で生成される左眼画像データおよび右眼画像データのタイミング合わせを行う場合には、ユーザの操作あるいは設定の手間が増加することがなく、また、ユーザの誤った操作、設定がないため常に正確なタイミング合わせが可能となる。
【００３８】
この発明の概念は、
第１の外部機器から、第１の伝送路を介して、立体画像を表示するための左眼画像データおよび右眼画像データを含む立体画像データを受信するデータ受信部と、
上記データ受信部で受信された立体画像データを処理して上記左眼画像データおよび上記右眼画像データを得るデータ処理部と、
上記データ処理部で得られた上記左眼画像データおよび上記右眼画像データのタイミングを補正するタイミング補正部と、
上記タイミング補正部から出力された上記左眼画像データおよび上記右眼画像データを含む立体画像データを、第２の伝送路を介して第２の外部機器に送信するデータ送信部を備え、
上記タイミング補正部は、上記左眼画像データおよび上記右眼画像データのタイミングを、左眼画像および右眼画像の表示タイミングに合わせる
中継装置にある。
【００３９】
この発明において、中継装置は、データ受信部により、第１の外部機器から、第１の伝送路を介して、立体画像を表示するための左眼画像データおよび右眼画像データを含む立体画像データを受信し、データ処理部によりこの立体画像データを処理して左眼画像データおよび右眼画像データを得る。中継装置は、タイミング補正部により、受信された左眼画像データおよび右眼画像データのタイミングを、左眼画像および右眼画像の表示タイミングに合わせる。そして、データ送信部により、タイミング補正された左眼画像データおよび右眼画像データを含む立体画像データを、第２の伝送路を介して第２の外部機器に送信する。
【００４０】
例えば、中継装置は、第１の情報取得部により、第１の伝送路を介して、第１の外部機器から左眼画像データおよび右眼画像データの撮影タイミング情報を取得する。また、中継装置は、第２の情報取得部により、第２の伝送路を介して、第２の外部機器から左眼画像および右眼画像の表示タイミング情報を取得する。また、例えば、中継装置は、第１のユーザ設定部により設定された左眼画像および右眼画像の表示タイミングを示す情報および第２のユーザ設定部により設定された左眼画像データおよび右眼画像データのタイミングを示す情報を用いる。なお、この場合、中継装置は、左眼画像データおよび右眼画像データのタイミングが同じであると見なしてもよい。
【００４１】
例えば、中継装置のデータ受信部は、第１の外部機器から、複数チャネルで差動信号により、第１の伝送路を介して、立体画像データを受信し、中継装置のデータ送信部は、第２の外部機器に、立体画像データを、複数チャネルで、差動信号により、第２の伝送路を介して送信する。そして、中継装置の第１の情報取得部は、撮影タイミング情報をデータ受信部で受信された立体画像データのブランキング期間から抽出して取得し、第２の情報取得部は、表示タイミング情報を第２の外部機器が有する記憶部から読み出して取得する。
【００４２】
例えば、中継装置のタイミング補正部は、左眼画像データおよび右眼画像データの双方のタイミングを補正して、左眼画像データおよび右眼画像データのタイミングを左眼画像および右眼画像の表示タイミングに合わせる。この場合、タイミング補正時における左右の画像の画質劣化を同程度にできる。
【００４３】
また、例えば、中継装置のタイミング補正部は、左眼画像データおよび右眼画像データの一方のタイミングを補正して、左眼画像データおよび右眼画像データのタイミングを左眼画像および右眼画像の表示タイミングに合わせる。例えば、左眼画像データおよび右眼画像データからタイミングを補正する一方の画像データを選択する画像データ選択部がさらに備えられる。この場合、タイミングを補正する一方の画像データを効き目ではない方の画像を表示する画像データとすることで、タイミング補正時における画質劣化の影響を抑えることができる。
【００４４】
このように、中継装置においては、第１の外部機器からの左眼画像データおよび右眼画像データが左眼画像および右眼画像の表示タイミングに合うようにタイミング補正され、補正後の左眼画像データおよび右眼画像データが、第２の外部機器に送信される。
【００４５】
したがって、第２の外部機器側において、受信された左眼画像データおよび右眼画像データのタイミングと、それらの画像データにより表示される左眼画像および右眼画像の表示タイミングとが一致したものとなる。そのため、第１の外部機器と第２の外部機器との間にこの中継装置を配置することで、動きのある画像で画質を改善でき、また、視聴者の疲労感の軽減を図ることができる。また、中継装置が、第１の外部機器から左眼画像データおよび右眼画像データの撮影タイミング情報を取得し、第２の外部機器から左眼画像および右眼画像の表示タイミング情報を取得して左眼画像データおよび右眼画像データのタイミングを補正する場合には、ユーザの操作あるいは設定の手間が増加することがなく、また、ユーザの誤った操作、設定がないため常に正確なタイミング補正が可能となる。
【発明の効果】
【００４６】
この発明によれば、受信装置側において、受信された左眼画像データおよび右眼画像データのタイミングと、それらの画像により表示される左眼画像および右眼画像の表示タイミングとが一致したものとなるため、動きのある画像で画質を改善でき、また、視聴者の疲労感の軽減を図ることができる。
【図面の簡単な説明】
【００４７】
【図１】この発明の第１の実施の形態としてのＡＶシステムの構成例を示すブロック図である。
【図２】ＡＶシステムを構成するディスクプレーヤ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ＨＤＭＩ送信部を構成するＨＤＭＩトランスミッタと、ＨＤＭＩ受信部を構成するＨＤＭＩレシーバの構成例を示すブロック図である。
【図６】ＴＭＤＳ伝送データの構造例（横×縦が１９２０ピクセル×１０８０ラインの画像データが伝送される場合）を示す図である。
【図７】ソース機器およびシンク機器のＨＤＭＩケーブルが接続されるＨＤＭＩ端子のピン配列（タイプＡ）を示す図である。
【図８】左眼（Ｌ）および右眼（Ｒ）の画像データ（１９２０×１０８０ｐのピクセルフォーマットの画像データ）を示す図である。
【図９】３Ｄ（立体）画像データの伝送方式である、（ａ）左眼画像データと右眼画像データとをフィールド毎に順次切換えて伝送する方式、（ｂ）左眼画像データの１ライン分と右眼画像データの１ライン分とを交互に伝送する方式、（ｃ）水平方向の前半では左眼画像データのピクセルデータを伝送し、水平方向の後半では右眼画像データのピクセルデータを伝送する方式、を説明するための図である。
【図１０】左眼画像データと右眼画像データとをフィールド毎に順次切換えて伝送する方式におけるＴＭＤＳ伝送データ例を示す図である。
【図１１】左眼画像データの１ライン分と右眼画像データの１ライン分とを交互に伝送する方式におけるＴＭＤＳ伝送データ例を示す図である。
【図１２】水平方向の前半では左眼画像データのピクセルデータを伝送し、水平方向の後半では右眼画像データのピクセルデータを伝送する方式におけるＴＭＤＳ伝送データ例を示す図である。
【図１３】Ｅ−ＥＤＩＤデータの構造例を示す図である。
【図１４】Ｖｅｎｄｏｒ Ｓｐｅｃｉｆｆｉｃ領域のデータ構造例を示す図である。
【図１５】左眼画像データおよび右眼画像データが交互に撮影されて得られたものであり、左眼画像および右眼画像が同じタイミングで表示される第１の場合に映像信号処理回路で行われるタイミング補正処理を説明するための図である。
【図１６】左眼画像データおよび右眼画像データが同じタイミングで撮影されて得られたものであり、左眼画像および右眼画像が交互に表示される第２の場合に映像信号処理回路で行われるタイミング補正処理を説明するための図である。
【図１７】ＡＶＩ  ＩｎｆｏＦｒａｍｅパケットのデータ構造例を示す図である。
【図１８】左眼画像データおよび右眼画像データが交互に撮影されて得られたものであり、左眼画像および右眼画像が同じタイミングで表示される第１の場合に３Ｄ信号処理部で行われるタイミング補正処理を説明するための図である。
【図１９】この発明の第２の実施の形態としてのＡＶシステムの構成例を示すブロック図である。
【図２０】ＡＶシステムを構成するゲーム機（ソース機器）の構成例を示すブロック図である。
【図２１】この発明の第３の実施の形態としてのＡＶシステムの構成例を示すブロック図である。
【図２２】ＡＶシステムを構成するＡＶアンプ（リピータ機器）の構成例を示すブロック図である。
【発明を実施するための形態】
【００４８】
以下、発明を実施するための形態（以下、「実施の形態」とする）について説明する。なお、説明を以下の順序で行う。
１．第１の実施の形態
２．第２の実施の形態
３．第３の実施の形態
４．変形例
【００４９】
＜１．第１の実施の形態＞
［ＡＶシステムの構成例］
図１は、第１の実施の形態としてのＡＶ(Audio Visual)システム２００の構成例を示している。このＡＶシステム２００は、ソース機器としてのディスクプレーヤ２１０と、シンク機器としてのテレビ受信機２５０とを有している。
【００５０】
ディスクプレーヤ２１０およびテレビ受信機２５０は、ＨＤＭＩケーブル３５０を介して接続されている。ディスクプレーヤ２１０には、ＨＤＭＩ送信部（ＨＤＭＩＴＸ）２１２が接続されたＨＤＭＩ端子２１１が設けられている。テレビ受信機２５０には、ＨＤＭＩ受信部（ＨＤＭＩ ＲＸ）２５２が接続されたＨＤＭＩ端子２５１が設けられている。ＨＤＭＩケーブル３５０の一端はディスクプレーヤ２１０のＨＤＭＩ端子２１１に接続され、このＨＤＭＩケーブル３５０の他端はテレビ受信機２５０のＨＤＭＩ端子２５１に接続されている。
【００５１】
図１に示すＡＶシステム２００において、ディスクプレーヤ２１０からの非圧縮の画像データ（映像信号）はＨＤＭＩケーブル３５０を介してテレビ受信機２５０に送信され、このテレビ受信機２５０ではディスクプレーヤ２１０からの画像データによる画像が表示される。また、ディスクプレーヤ２１０からの非圧縮の音声データ（音声信号）はＨＤＭＩケーブル３５０を介してテレビ受信機２５０に送信され、このテレビ受信機２５０ではディスクプレーヤ２１０からの音声データによる音声が出力される。
【００５２】
ディスクプレーヤ２１０からテレビ受信機２５０に送られる画像データが立体画像を表示するための左眼画像データおよび右眼画像データを含む立体画像データ（３Ｄ画像データ）である場合、テレビ受信機２５０では、立体画像の表示が行われる。
【００５３】
ここで、ディスクプレーヤ２１０で再生される左眼画像データおよび右眼画像データの撮影タイミングとしては、同時および交互の２種類がある。撮影タイミングが同じである場合、左眼画像データおよび右眼画像データは、例えば、２眼のカメラで左眼画像および右眼画像が同じタイミングで撮影されて得られたものである。また、撮影タイミングが交互である場合、左眼画像データおよび右眼画像データは、例えば、１眼のカメラで左眼画像および右眼画像が交互のタイミングで撮影されて得られたものである。
【００５４】
また、テレビ受信機２５０で表示される左眼画像および右眼画像の表示タイミングとしては、同時および交互の２種類がある。例えば、テレビ受信機２５０の立体画像の表示方式がアナグリフ方式、偏光メガネ方式、裸眼方式等である場合、左眼画像および右眼画像は同時に表示される。また、例えば、テレビ受信機２５０の立体画像の表示方式がシャッターグラス方式である場合、左眼画像および右眼画像は交互に表示される。
【００５５】
図１に示すＡＶシステム２００において、ディスクプレーヤ２１０で再生される左眼画像データおよび右眼画像データの撮影タイミングと、テレビ受信機２５０で表示される左眼画像および右眼画像の表示タイミングが異なる場合には、タイミング補正が行われる。このタイミング補正では、左眼画像データおよび右眼画像データのタイミングが、左眼画像および右眼画像の表示タイミングに合うようにされる。このタイミング補正は、ディスクプレーヤ２１０、あるいはテレビ受信機２５０で行われる。
【００５６】
ここで、撮影タイミングと表示タイミングが異なる場合には、以下の２通りがある。一つは、左眼画像データおよび右眼画像データが交互に撮影して得られたものであり、左眼画像および右眼画像が同じタイミングで表示される場合である。他の一つは、左眼画像データおよび右眼画像データが同じタイミングで撮影して得られたものであり、左眼画像および右眼画像が交互に表示される場合である。
【００５７】
［ディスクプレーヤの構成例］
図２は、ディスクプレーヤ２１０の構成例を示している。このディスクプレーヤ２１０は、ＨＤＭＩ端子２１１と、ＨＤＭＩ送信部２１２と、ドライブインタフェース２１３と、ＢＤ／ＤＶＤドライブ２１４を有している。また、このディスクプレーヤ２１０は、デマルチプレクサ２１５と、ＭＰＥＧデコーダ２１６と、映像信号処理回路２１７と、オーディオデコーダ２１８と、音声信号処理回路２１９を有している。
【００５８】
また、このディスクプレーヤ２１０は、内部バス２２０と、ＣＰＵ２２１と、フラッシュＲＯＭ２２２と、ＤＲＡＭ２２３を有している。また、このディスクプレーヤ２１０は、イーサネットインタフェース（Ethernet I/F）２２４と、ネットワーク端子２２５と、リモコン受信部２２６と、リモコン送信機２２７を有している。なお、「イーサネット」および「Ｅｔｈｅｒｎｅｔ」は登録商標である。ＣＰＵ２２１、フラッシュＲＯＭ２２２、ＤＲＡＭ２２３、イーサネットインタフェース２２４およびドライブインタフェース２１３は、内部バス２２０に接続されている。
【００５９】
ＣＰＵ２２１は、ディスクプレーヤ２１０の各部の動作を制御する。フラッシュＲＯＭ２２２は、制御ソフトウェアの格納およびデータの保管を行う。ＤＲＡＭ２２３は、ＣＰＵ２２１のワークエリアを構成する。ＣＰＵ２２１は、フラッシュＲＯＭ２２２から読み出したソフトウェアやデータをＤＲＡＭ２２３上に展開してソフトウェアを起動させ、ディスクプレーヤ２１０の各部を制御する。リモコン受信部２２６は、リモコン送信機２２７から送信されたリモーコントロール信号（リモコンコード）を受信し、ＣＰＵ２２１に供給する。ＣＰＵ２２１は、リモコンコードに従ってディスクプレーヤ２１０の各部を制御する。
【００６０】
ＢＤ／ＤＶＤドライブ２１４は、ディスク状記録メディアとしてのＢＤ，ＤＶＤ（図示せず）に対して、コンテンツデータを記録し、あるいは、このＢＤ，ＤＶＤからコンテンツデータを再生する。このＢＤ／ＤＶＤドライブ２１４は、ドライブインタフェース２１３を介して内部バス２２０に接続されている。
【００６１】
デマルチプレクサ２１５は、ＢＤ／ＤＶＤドライブ２１４の再生データから映像、音声等のエレメンタリストリームを分離する。ＭＰＥＧデコーダ２１６は、デマルチプレクサ２１５で分離された映像のエレメンタリストリームに対してデコード処理を行って非圧縮の画像データを得る。
【００６２】
映像信号処理回路２１７は、ＭＰＥＧデコーダ２１６で得られた画像データに対して、必要に応じてスケーリング処理（解像度変換処理）、グラフィックスデータの重畳処理等を行って、ＨＤＭＩ送信部２１２に供給する。また、この映像信号処理回路２１７は、ＭＰＥＧデコーダ２１６で得られた画像データが立体画像を表示するための立体画像データ（左眼画像データ、右眼画像データ）である場合、この立体画像データを伝送方式に応じた状態に加工処理する。
【００６３】
また、この映像信号処理回路２１７は、上述の左眼画像データおよび右眼画像データのタイミング補正をディスクプレーヤ２１０で行う場合、そのタイミング補正を行う。その場合、この映像信号処理回路２１７はタイミング補正部を構成する。この映像信号処理回路２１７におけるタイミング補正の詳細は後述する。
【００６４】
オーディオデコーダ２１８は、デマルチプレクサ２１５で分離された音声のエレメンタリストリームに対してデコード処理を行って非圧縮の音声データを得る。音声信号処理回路２１９は、オーディオデコーダ２１８で得られた音声データに対して、必要に応じて音質調整処理等を行って、ＨＤＭＩ送信部２１２に供給する。
【００６５】
ＨＤＭＩ送信部２１２は、ＨＤＭＩに準拠した通信により、ベースバンドの画像（映像）と音声のデータを、ＨＤＭＩ端子２１１から送出する。この場合、ＨＤＭＩのＴＭＤＳチャネルで送信するため、画像および音声のデータがパッキングされて、ＨＤＭＩ送信部２１２からＨＤＭＩ端子２１１に出力される。このＨＤＭＩ送信部２１２の詳細は後述する。
【００６６】
図２に示すディスクプレーヤ２１０の動作を簡単に説明する。ＢＤ／ＤＶＤドライブ２１４の再生データはデマルチプレクサ２１５に供給され、映像、音声等のエレメンタリストリームに分離される。デマルチプレクサ２１５で分離された映像のエレメンタリストリームはＭＰＥＧデコーダ２１６に供給されてデコードされ、非圧縮の画像データが得られる。また、デマルチプレクサ２１５で分離された音声のエレメンタリストリームはオーディオデコーダ２１８に供給されてデコードされ、非圧縮の音声データが得られる。
【００６７】
ＭＰＥＧデコーダ２１６で得られる画像データは、映像信号処理回路２１７を介してＨＤＭＩ送信部２１２に供給される。また、オーディオデコーダ２１８で得られた音声データは音声信号処理回路２１９を介してＨＤＭＩ送信部２１２に供給される。そして、これら画像および音声のデータは、ＨＤＭＩのＴＭＤＳチャネルにより、ＨＤＭＩ端子２１１からＨＤＭＩケーブルに送出される。
【００６８】
なお、ＭＰＥＧデコーダ２１６で得られる画像データが立体画像データである場合、この立体画像データは、映像信号処理回路２１７で伝送方式に応じた状態に加工処理された後に、ＨＤＭＩ送信部２１２に供給される。また、画像データが立体画像データである場合には、必要に応じて、映像信号処理回路２１７により、この立体画像データを構成する左眼画像データおよび右眼画像データのタイミング補正が行われる。
【００６９】
［テレビ受信機の構成例］
図３は、テレビ受信機２５０の構成例を示している。このテレビ受信機２５０は、ＨＤＭＩ端子２５１と、ＨＤＭＩ受信部２５２と、３Ｄ信号処理部２５４を有している。また、テレビ受信機２５０は、アンテナ端子２５５と、デジタルチューナ２５６と、デマルチプレクサ２５７と、ＭＰＥＧデコーダ２５８と、映像信号処理回路２５９と、グラフィック生成回路２６０と、パネル駆動回路２６１と、表示パネル２６２を有している。
【００７０】
また、テレビ受信機２５０は、音声信号処理回路２６３と、音声増幅回路２６４と、スピーカ２６５と、内部バス２７０と、ＣＰＵ２７１と、フラッシュＲＯＭ２７２と、ＤＲＡＭ２７３を有している。また、テレビ受信機２５０は、イーサネットインタフェース（Ethernet I/F）２７４と、ネットワーク端子２７５と、リモコン受信部２７６と、リモコン送信機２７７と、ＤＴＣＰ回路２７８を有している。
【００７１】
アンテナ端子２５５は、受信アンテナ（図示せず）で受信されたテレビ放送信号を入力する端子である。デジタルチューナ２５６は、アンテナ端子２５５に入力されたテレビ放送信号を処理して、ユーザの選択チャネルに対応した所定のトランスポートストリームを出力する。デマルチプレクサ２５７は、デジタルチューナ２５６で得られたトランスポートストリームから、ユーザの選択チャネルに対応した、パーシャルＴＳ（Transport Stream）（映像データのＴＳパケット、音声データのＴＳパケット）を抽出する。
【００７２】
また、デマルチプレクサ２５７は、デジタルチューナ２５６で得られたトランスポートストリームから、ＰＳＩ／ＳＩ(Program Specific Information/Service Information)を取り出し、ＣＰＵ２７１に出力する。デジタルチューナ２５６で得られたトランスポートストリームには、複数のチャネルが多重化されている。デマルチプレクサ２５７で、当該トランスポートストリームから任意のチャネルのパーシャルＴＳを抽出する処理は、ＰＳＩ／ＳＩ（ＰＡＴ／ＰＭＴ）から当該任意のチャネルのパケットＩＤ（ＰＩＤ）の情報を得ることで可能となる。
【００７３】
ＭＰＥＧデコーダ２５８は、デマルチプレクサ２５７で得られる映像データのＴＳパケットにより構成される映像ＰＥＳ(Packetized Elementary Stream)パケットに対してデコード処理を行って画像データを得る。また、ＭＰＥＧデコーダ２５８は、デマルチプレクサ２５７で得られる音声データのＴＳパケットにより構成される音声ＰＥＳパケットに対してデコード処理を行って音声データを得る。
【００７４】
映像信号処理回路２５９およびグラフィック生成回路２６０は、ＭＰＥＧデコーダ２５８で得られた画像データ、あるいはＨＤＭＩ受信部２５２で受信された画像データに対して、必要に応じてスケーリング処理（解像度変換処理）、グラフィックスデータの重畳処理等を行う。また、映像信号処理回路２５９は、ＨＤＭＩ受信部２５２で受信された画像データが、左眼画像データおよび右眼画像データを含む立体画像データである場合には、左眼画像データおよび右眼画像データに対して、立体画像を表示するために必要な処理を行う。パネル駆動回路２６１は、グラフィック生成回路２６０から出力される映像（画像）データに基づいて、表示パネル２６２を駆動する。
【００７５】
表示パネル２６２は、例えば、ＬＣＤ(Liquid Crystal Display)、ＰＤＰ(Plasma DisplayPanel)等で構成されている。音声信号処理回路２６３はＭＰＥＧデコーダ２５８で得られた音声データに対してＤ／Ａ変換等の必要な処理を行う。音声増幅回路２６４は、音声信号処理回路２６３から出力される音声信号を増幅してスピーカ２６５に供給する。
【００７６】
ＣＰＵ２７１は、テレビ受信機２５０の各部の動作を制御する。フラッシュＲＯＭ２７２は、制御ソフトウェアの格納およびデータの保管を行う。ＤＲＡＭ２７３は、ＣＰＵ２７１のワークエリアを構成する。ＣＰＵ２７１は、フラッシュＲＯＭ２７２から読み出したソフトウェアやデータをＤＲＡＭ２７３上に展開してソフトウェアを起動させ、テレビ受信機２５０の各部を制御する。
【００７７】
リモコン受信部２７６は、リモコン送信機２７７から送信されたリモーコントロール信号（リモコンコード）を受信し、ＣＰＵ２７１に供給する。ＣＰＵ２７１は、このリモコンコードに基づいて、テレビ受信機２５０の各部を制御する。ネットワーク端子２７５は、ネットワークに接続する端子であり、イーサネットインタフェース２７４に接続される。ＣＰＵ２７１、フラッシュＲＯＭ２７２、ＤＲＡＭ２７３およびイーサネットインタフェース２７４は、内部バス２７０に接続されている。ＤＴＣＰ回路２７８は、ネットワーク端子２７５からイーサネットインタフェース２７４に供給される暗号化データを復号する。
【００７８】
ＨＤＭＩ受信部（ＨＤＭＩシンク）２５２は、ＨＤＭＩに準拠した通信により、ＨＤＭＩケーブル３５０を介してＨＤＭＩ端子２５１に供給される非圧縮の画像（映像）と音声のデータを受信する。このＨＤＭＩ受信部２５２の詳細は後述する。
【００７９】
３Ｄ信号処理部２５４は、ＨＤＭＩ受信部２５２で受信された３Ｄ画像データに対して、伝送方式に対応した処理（デコード処理）を行って、左眼画像データおよび右眼画像データを生成する。すなわち、この３Ｄ信号処理部２５４は、上述したディスクプレーヤ２１０の映像信号処理回路２１７（図２参照）とは逆の処理を行って、立体画像データを構成する左眼画像データおよび右眼画像データを取得する。
【００８０】
また、この３Ｄ信号処理部２５４は、上述の左眼画像データおよび右眼画像データのタイミング補正をテレビ受信機２５０で行う場合、そのタイミング補正を行う。その場合、この３Ｄ信号処理部２５４はタイミング補正部を構成する。この３Ｄ信号処理部２５４におけるタイミング補正の詳細は後述する。
【００８１】
図３に示すテレビ受信機２５０の動作を簡単に説明する。アンテナ端子２５５に入力されたテレビ放送信号はデジタルチューナ２５６に供給される。このデジタルチューナ２５６では、テレビ放送信号を処理して、ユーザの選択チャネルに対応した所定のトランスポートストリームが出力され、当該所定のトランスポートストリームはデマルチプレクサ２５７に供給される。このデマルチプレクサ２５７では、トランスポートストリームから、ユーザの選択チャネルに対応した、パーシャルＴＳ（映像データのＴＳパケット、音声データのＴＳパケット）が抽出され、当該パーシャルＴＳはＭＰＥＧデコーダ２５８に供給される。
【００８２】
ＭＰＥＧデコーダ２５８では、映像データのＴＳパケットにより構成される映像ＰＥＳパケットに対してデコード処理が行われて画像データが得られる。この画像データは、映像信号処理回路２５９およびグラフィック生成回路２６０において、必要に応じて、スケーリング処理（解像度変換処理）、グラフィックスデータの重畳処理等が行われた後に、パネル駆動回路２６１に供給される。そのため、表示パネル２６２には、ユーザの選択チャネルに対応した画像が表示される。
【００８３】
また、ＭＰＥＧデコーダ２５８では、音声データのＴＳパケットにより構成される音声ＰＥＳパケットに対してデコード処理が行われて音声データが得られる。この音声データは、音声信号処理回路２６３でＤ／Ａ変換等の必要な処理が行われ、さらに、音声増幅回路２６４で増幅された後に、スピーカ２６５に供給される。そのため、スピーカ２６５から、ユーザの選択チャネルに対応した音声が出力される。
【００８４】
また、ネットワーク端子２７５からイーサネットインタフェース２７４に供給される暗号化されているコンテンツデータ（画像データ、音声データ）は、ＤＴＣＰ回路２７８で復号化された後に、ＭＰＥＧデコーダ２５８に供給される。以降は、上述したテレビ放送信号の受信時と同様の動作となり、表示パネル２６２に画像が表示され、スピーカ２６５から音声が出力される。
【００８５】
また、ＨＤＭＩ受信部２５２では、ＨＤＭＩ端子２５１にＨＤＭＩケーブル３５０を介して接続されているディスクプレーヤ２１０から送信されてくる、画像データおよび音声データが取得される。画像データは、３Ｄ信号処理部２５４を介して映像信号処理回路２５９に供給される。また、音声データは、直接、音声信号処理回路２６３に供給される。以降は、上述したテレビ放送信号の受信時と同様の動作となり、表示パネル２６２に画像が表示され、スピーカ２６５から音声が出力される。
【００８６】
なお、ＨＤＭＩ受信部２５２で受信された画像データが立体画像データである場合には、３Ｄ信号処理部２５４において、当該３Ｄ画像データに対して伝送方式に対応した処理（デコード処理）が行われ、左眼画像データおよび右眼画像データが生成される。そして、３Ｄ信号処理部２５４から映像信号処理部２５９には、左眼画像データおよび右眼画像データが供給される。また、画像データが立体画像データである場合には、必要に応じて、３Ｄ信号処理部２５４により、この立体画像データを構成する左眼画像データおよび右眼画像データのタイミング補正が行われる。
【００８７】
また、映像信号処理回路２５９では、立体画像データを構成する左眼画像データおよび右眼画像データが供給される場合には、左眼画像データおよび右眼画像データに基づいて、立体画像を表示するための画像データが生成される。そのため、表示パネル２６２により立体画像が表示される。
【００８８】
［ＨＤＭＩ送信部、ＨＤＭＩ受信部の構成例］
図４は、図１のＡＶシステム２００における、ディスクプレーヤ２１０のＨＤＭＩ送信部（ＨＤＭＩソース）２１２と、テレビ受信機２５０のＨＤＭＩ受信部（ＨＤＭＩシンク）２５２の構成例を示している。
【００８９】
ＨＤＭＩ送信部２１２は、有効画像区間（以下、適宜、アクティブビデオ区間ともいう）において、非圧縮の１画面分の画像の画素データに対応する差動信号を、複数のチャネルで、ＨＤＭＩ受信部２５２に一方向に送信する。ここで、有効画像区間は、一の垂直同期信号から次の垂直同期信号までの区間から、水平帰線区間及び垂直帰線区間を除いた区間である。また、ＨＤＭＩ送信部２１２は、水平帰線区間または垂直帰線区間において、少なくとも画像に付随する音声データや制御データ、その他の補助データ等に対応する差動信号を、複数のチャネルで、ＨＤＭＩ受信部２５２に一方向に送信する。
【００９０】
ＨＤＭＩ送信部２１２とＨＤＭＩ受信部２５２とからなるＨＤＭＩシステムの伝送チャネルには、以下の伝送チャネルがある。すなわち、ＨＤＭＩ送信部２１２からＨＤＭＩ受信部２５２に対して、画素データおよび音声データを、ピクセルクロックに同期して、一方向にシリアル伝送するための伝送チャネルとしての、３つのＴＭＤＳチャネル＃０乃至＃２がある。また、ピクセルクロックを伝送する伝送チャネルとしての、ＴＭＤＳクロックチャネルがある。
【００９１】
ＨＤＭＩ送信部２１２は、ＨＤＭＩトランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩケーブル３５０を介して接続されているＨＤＭＩ受信部２５２に、一方向にシリアル伝送する。
【００９２】
また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩ受信部２５２に、一方向にシリアル伝送する。
【００９３】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩケーブル３５０を介して接続されているＨＤＭＩ受信部２５２に送信する。ここで、１つのＴＭＤＳチャネル＃ｉ（ｉ＝０，１，２）では、ピクセルクロックの１クロックの間に、１０ビットの画素データが送信される。
【００９４】
ＨＤＭＩ受信部２５２は、アクティブビデオ区間において、複数のチャネルで、ＨＤＭＩ送信部２１２から一方向に送信されてくる、画素データに対応する差動信号を受信する。また、このＨＤＭＩ受信部２５２は、水平帰線区間または垂直帰線区間において、複数のチャネルで、ＨＤＭＩ送信部２１２から一方向に送信されてくる、音声データや制御データに対応する差動信号を受信する。
【００９５】
すなわち、ＨＤＭＩ受信部２５２は、ＨＤＭＩレシーバ８２を有する。このＨＤＭＩレシーバ８２は、ＴＭＤＳチャネル＃０，＃１，＃２で、ＨＤＭＩ送信部２１２から一方向に送信されてくる、画素データに対応する差動信号と、音声データや制御データに対応する差動信号を受信する。この場合、ＨＤＭＩ送信部２１２からＴＭＤＳクロックチャネルで送信されてくるピクセルクロックに同期して受信する。
【００９６】
ＨＤＭＩ送信部２１２とＨＤＭＩ受信部２５２とからなるＨＤＭＩシステムの伝送チャネルには、上述のＴＭＤＳチャネル＃０乃至＃２およびＴＭＤＳクロックチャネルの他に、ＤＤＣ（Display Data Channel）８３やＣＥＣライン８４と呼ばれる伝送チャネルがある。ＤＤＣ８３は、ＨＤＭＩケーブル３５０に含まれる図示しない２本の信号線からなり、ＨＤＭＩ送信部２１２が、ＨＤＭＩケーブル３５０を介して接続されたＨＤＭＩ受信部２５２から、Ｅ−ＥＤＩＤ（Enhanced Extended Display Identification Data）を読み出すために使用される。
【００９７】
すなわち、ＨＤＭＩ受信部２５２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)８５を有している。ＨＤＭＩ送信部２１２は、例えば、ＣＰＵ２２１（図２参照）からの要求に応じて、ＨＤＭＩケーブル３５０を介して接続されているＨＤＭＩ受信部２５２から、当該ＨＤＭＩ受信部２５２のＥ−ＥＤＩＤを、ＤＤＣ８３を介して読み出す。ＨＤＭＩ送信部２１２は、読み出したＥ−ＥＤＩＤをＣＰＵ２２１に送る。ＣＰＵ２２１は、このＥ−ＥＤＩＤを、フラッシュＲＯＭ２２２あるいはＤＲＡＭ２２３に格納する。
【００９８】
ＣＰＵ２２１は、Ｅ−ＥＤＩＤに基づき、ＨＤＭＩ受信部２５２の性能の設定を認識できる。例えば、ＣＰＵ２２１は、ＨＤＭＩ受信部２５２を有するテレビ受信機２５０が対応可能な画像データのフォーマット（解像度、フレームレート、アスペクト等）を認識する。また、この実施の形態において、ディスクプレーヤ２１０で左眼画像データおよび右眼画像データのタイミングを補正する場合、ＣＰＵ２２１は、Ｅ−ＥＤＩＤに含まれる後述する表示タイミング情報に基づき、ＨＤＭＩ受信部２５２を有するテレビ受信機２５０における左眼画像および右眼画像の表示タイミングを認識する。
【００９９】
ＣＥＣライン８４は、ＨＤＭＩケーブル３５０に含まれる図示しない１本の信号線からなり、ＨＤＭＩ送信部２１２とＨＤＭＩ受信部２５２との間で、制御用のデータの双方向通信を行うために用いられる。このＣＥＣライン８４は、制御データラインを構成している。
【０１００】
また、ＨＤＭＩケーブル３５０には、ＨＰＤ(Hot Plug Detect)と呼ばれるピンに接続されるライン（ＨＰＤライン）８６が含まれている。ソース機器は、当該ライン８６を利用して、シンク機器の接続を検出することができる。また、ＨＤＭＩケーブル３５０には、ソース機器からシンク機器に電源を供給するために用いられるライン８７が含まれている。さらに、ＨＤＭＩケーブル３５０には、リザーブライン８８が含まれている。
【０１０１】
図５は、図４のＨＤＭＩトランスミッタ８１とＨＤＭＩレシーバ８２の構成例を示している。ＨＤＭＩトランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ，Ｇ，Ｂの３成分を有する場合、Ｂ成分はエンコーダ／シリアライザ８１Ａに供給され、Ｇ成分はエンコーダ／シリアライザ８１Ｂに供給され、Ｒ成分はエンコーダ／シリアライザ８１Ｃに供給される。
【０１０２】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【０１０３】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【０１０４】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【０１０５】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【０１０６】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【０１０７】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【０１０８】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【０１０９】
ＨＤＭＩレシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【０１１０】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【０１１１】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【０１１２】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【０１１３】
図６は、ＴＭＤＳ伝送データの構造例を示している。この図６は、ＴＭＤＳチャネル＃０，＃１，＃２において、横×縦が１９２０ピクセル×１０８０ラインの画像データが伝送される場合の、各種の伝送データの区間を示している。
【０１１４】
ＨＤＭＩの３つのＴＭＤＳチャネル＃０，＃１，＃２で伝送データが伝送されるビデオフィールド（Video Field）には、伝送データの種類に応じて、３種類の区間が存在する。この３種類の区間は、ビデオデータ区間（Video Data period）、データアイランド区間（Data Islandperiod）、およびコントロール区間（Control period）である。
【０１１５】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。このアクティブビデオ区間は、ビデオフィールド区間から、水平ブランキング期間および垂直ブランキング期間を除いた区間である
【０１１６】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【０１１７】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【０１１８】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【０１１９】
図７は、ＨＤＭＩ端子２１１，２５１のピン配列の一例を示している。図７に示すピン配列はタイプＡ（type-A）と呼ばれている。
【０１２０】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１２１】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【０１２２】
また、上述したようにソース機器がシンク機器の接続を検出するためのＨＰＤライン８６は、ピン番号が１９であるピンに接続される。また、上述したように電源を供給するためのライン８７は、ピン番号が１８であるピンに接続される。
【０１２３】
［立体画像データの伝送方式例］
立体画像データ（３Ｄ画像データ）の伝送方式として、以下の第１〜第３の伝送方式を挙げるが、これら以外の伝送方式であってもよい。ここでは、図８に示すように、左眼（Ｌ）および右眼（Ｒ）の画像データが、それぞれ、１９２０×１０８０ｐのピクセルフォーマットの画像データである場合を例にとって説明する。
【０１２４】
第１の伝送方式は、図９（ａ）に示すように、左眼画像データと右眼画像データとをフィールド毎に順次切換えて伝送する方式である。この場合、切換え処理のためフィールドメモリが必要となるが、ソース機器での信号処理は最も簡単なものとなる。図１０は、第１の伝送方式におけるＴＭＤＳ伝送データ例を示している。この場合、奇数フィールドの１９２０ピクセル×１０８０ラインのアクティブビデオ区間に、１９２０ピクセル（画素）×１０８０ライン分の有効画素（Active pixel）の左眼（Ｌ）画像データが配置される。また、偶数フィールドの１９２０ピクセル×１０８０ラインのアクティブビデオ区間に、１９２０ピクセル（画素）×１０８０ライン分の有効画素（Active pixel）の右眼（Ｒ）画像データが配置される。
【０１２５】
第２の伝送方式は、図９（ｂ）に示すように、左眼画像データの１ライン分と右眼画像データの１ライン分とを交互に伝送する方式である。この場合、左眼画像データおよび右眼画像データは、それぞれ、ラインが１／２に間引かれる。この方式は、「位相差プレート方式」と呼ばれる立体画像の表示方式の映像信号そのものであり、シンク機器の表示部での信号処理が最も簡単な方式であるが、原信号に対して垂直解像度は半分となる。
【０１２６】
図１１は、第２の伝送方式のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（左眼（Ｌ）画像データおよび右眼（Ｒ）画像データの合成データ）が配置される。この第２の伝送方式の場合、上述したように、左眼画像データおよび右眼画像データは、それぞれ、垂直方向のラインが１／２に間引かれる。ここで、伝送すべき左眼画像データは奇数ラインまたは偶数ラインのいずれかであり、同様に、伝送すべき右眼画像データは奇数ラインまたは偶数ラインのいずれかである。
【０１２７】
第３の伝送方式は、現在実験放送で用いられている「Side By Side」方式で、図９（ｃ）に示すように、水平方向の前半では左眼画像データのピクセルデータを伝送し、水平方向の後半では右眼画像データのピクセルデータを伝送する方式である。この場合、左眼画像データおよび右眼画像データは、それぞれ、水平方向のピクセルデータが１／２に間引かれる。この第３の伝送方式は、立体画像データに非対応のソース機器でも既存の２Ｄ画像データとして出力すれば対応でき、従来のソース機器との互換性が高い方式である。
【０１２８】
図１２は、第３の伝送方式のＴＭＤＳ伝送データ例を示している。この場合、１９２０ピクセル×１０８０ラインのアクティブビデオ区間に、１９２０ピクセル（画素）×１０８０ライン分の有効画素（Active pixel）のデータ（左眼（Ｌ）画像データおよび右眼（Ｒ）画像データの合成データ）が配置される。この第３の伝送方式の場合、上述したように、左眼画像データおよび右眼画像データは、それぞれ、水平方向のピクセルデータが１／２に間引かれる。
【０１２９】
［ディスクプレーヤにおけるタイミング補正動作］
図１に示すＡＶシステム２００において、ディスクプレーヤ２１０で再生される左眼画像データおよび右眼画像データの撮影タイミングと、テレビ受信機２５０で表示される左眼画像および右眼画像の表示タイミングが異なる場合には、タイミング補正が行われる。このタイミング補正が、ディスクプレーヤ２１０の映像信号処理回路２１７で行われる場合について説明する。
【０１３０】
この実施の形態において、ディスクプレーヤ２１０は、テレビ受信機２５０より、左眼画像および右眼画像の表示タイミング情報を取得する。すなわち、ディスクプレーヤ２１０（ＣＰＵ２２１）は、テレビ受信機２５０からＥ−ＥＤＩＤ（Enhanced Extended Display Identification Data）を読み出すことで、表示タイミング情報を取得する。換言すれば、テレビ受信機２５０は、Ｅ−ＥＤＩＤに表示タイミング情報を含めておくことで、当該情報を、ディスクプレーヤ２１０に供給する。
【０１３１】
図１３は、Ｅ−ＥＤＩＤのデータ構造例を示している。このＥ−ＥＤＩＤは、基本ブロックと拡張ブロックとからなっている。基本ブロックの先頭には、“Ｅ−ＥＤＩＤ１．３  Ｂａｓｉｃ  Ｓｔｒｕｃｔｕｒｅ”で表されるＥ−ＥＤＩＤ１．３の規格で定められたデータが配置され、続いて“Ｐｒｅｆｅｒｒｅｄ  ｔｉｍｉｎｇ”で表される従来のＥＤＩＤとの互換性を保つためのタイミング情報、および“２ｎｄ  ｔｉｍｉｎｇ”で表される従来のＥＤＩＤとの互換性を保つための“Ｐｒｅｆｅｒｒｅｄ  ｔｉｍｉｎｇ”とは異なるタイミング情報が配置されている。
【０１３２】
また、基本ブロックには、“２ｎｄ  ｔｉｍｉｎｇ”に続いて、“Ｍｏｎｉｔｏｒ  ＮＡＭＥ”で表される表示装置の名前を示す情報、および“Ｍｏｎｉｔｏｒ  Ｒａｎｇｅ  Ｌｉｍｉｔｓ”で表される、アスペクト比が４：３および１６：９である場合についての表示可能な画素数を示す情報が順番に配置されている。
【０１３３】
拡張ブロックの先頭には、“Ｓｈｏｒｔ  Ｖｉｄｅｏ  Ｄｅｓｃｒｉｐｔｏｒ”が配置されている。これは、表示可能な画像サイズ（解像度）、フレームレート、インターレースであるかプログレッシブであるかを示す情報である。続いて、“Ｓｈｏｒｔ  Ａｕｄｉｏ  Ｄｅｓｃｒｉｐｔｏｒ”が配置されている。これは、再生可能な音声コーデック方式、サンプリング周波数、カットオフ帯域、コーデックビット数などの情報である。続いて、“Ｓｐｅａｋｅｒ  Ａｌｌｏｃａｔｉｏｎ”で表される左右のスピーカに関する情報が配置されている。
【０１３４】
また、拡張ブロックには、“Ｓｐｅａｋｅｒ  Ａｌｌｏｃａｔｉｏｎ”に続いて、“Ｖｅｎｄｅｒ  Ｓｐｅｃｉｆｉｃ”で表されるメーカごとに固有に定義されたデータ、“３ｒｄ  ｔｉｍｉｎｇ”で表される従来のＥＤＩＤとの互換性を保つためのタイミング情報、および“４ｔｈ  ｔｉｍｉｎｇ”で表される従来のＥＤＩＤとの互換性を保つためのタイミング情報が配置されている。
【０１３５】
図１４は、Ｖｅｎｄｅｒ  Ｓｐｅｃｉｆｉｃ領域（HDMI Vendor Specific Data Block）のデータ構造例を示している。このＶｅｎｄｅｒ  Ｓｐｅｃｉｆｉｃ領域には、１バイトのブロックである第０ブロック乃至第Ｎブロックが設けられている。
【０１３６】
“Ｖｅｎｄｅｒ  Ｓｐｅｃｉｆｉｃ”で表されるデータの先頭に配置された第０ブロックには、“Ｖｅｎｄｏｒ−Ｓｐｅｃｉｆｉｃ  ｔａｇ  ｃｏｄｅ（＝３）”で表されるデータ“Ｖｅｎｄｅｒ  Ｓｐｅｃｉｆｉｃ”のデータ領域を示すヘッダ、および“Ｌｅｎｇｔｈ（＝Ｎ）”で表されるデータ“Ｖｅｎｄｅｒ  Ｓｐｅｃｉｆｉｃ”の長さを示す情報が配置される。
【０１３７】
また、第１ブロック乃至第３ブロックには、“２４ｂｉｔ  ＩＥＥＥ  Ｒｅｇｉｓｔｒａｔｉｏｎ  Ｉｄｅｎｔｉｆｉｅｒ（０ｘ０００Ｃ０３）ＬＳＢ  ｆｉｒｓｔ”で表されるＨＤＭＩ（Ｒ）用として登録された番号“０ｘ０００Ｃ０３“を示す情報が配置される。さらに、第４ブロックおよび第５ブロックには、”Ａ“、”Ｂ“、”Ｃ“、および”Ｄ“のそれぞれにより表される、２４ｂｉｔのシンク機器の物理アドレスを示す情報が配置される。
【０１３８】
第６ブロックには、“Ｓｕｐｐｏｒｔｓ−ＡＩ”で表されるシンク機器が対応している機能を示すフラグ、“ＤＣ−４８ｂｉｔ”、“ＤＣ−３６ｂｉｔ”、および“ＤＣ−３０ｂｉｔ”のそれぞれで表される１ピクセル当たりのビット数を指定する情報のそれぞれ、“ＤＣ−Ｙ４４４”で表される、シンク機器がＹＣｂＣｒ４：４：４の画像の伝送に対応しているかを示すフラグ、および“ＤＶＩ−Ｄｕａｌ”で表される、シンク機器がデュアルＤＶＩ（Ｄｉｇｉｔａｌ  Ｖｉｓｕａｌ  Ｉｎｔｅｒｆａｃｅ）に対応しているかを示すフラグが配置されている。
【０１３９】
また、第７ブロックには、“Ｍａｘ−ＴＭＤＳ−Ｃｌｏｃｋ”で表されるＴＭＤＳのピクセルクロックの最大の周波数を示す情報が配置される。さらに、第８ブロックの第６ビット、第７ビットには、“Ｌａｔｅｎｃｙ”で表される映像と音声の遅延情報の有無を示すフラグが配置されている。
【０１４０】
また、第９ブロックには、“Ｖｉｄｅｏ  Ｌａｔｅｎｃｙ”で表される、プログレッシブの映像の遅延時間データが配置され、第１０ブロックには、“Ａｕｄｉｏ  Ｌａｔｅｎｃｙ”で表される、プログレッシブの映像に付随する音声の遅延時間データが配置される。さらに、第１１ブロックには、“Ｉｎｔｅｒｌａｃｅｄ  Ｖｉｄｅｏ  Ｌａｔｅｎｃｙ”で表されるインターレースの映像の遅延時間データが配置され、第１２ブロックには、“Ｉｎｔｅｒｌａｃｅｄ  Ａｕｄｉｏ  Ｌａｔｅｎｃｙ”で表される、インターレースの映像に付随する音声の遅延時間データが配置されている。
【０１４１】
この実施の形態において、第８ブロックの第５ビットには、表示タイミング情報の有無を示すフラグ（3D_Fields_Present）が配置されている。このフラグが“１”とされて、第１３ブロックの第６ビットおよび第７ビットに、表示タイミング情報（LR_Display_Timing）が配置される。
【０１４２】
例えば、「００」は、左眼画像および右眼画像の表示タイミングが同じであることを示す。また、例えば、「０１」は、左眼画像および右眼画像を交互に表示し、同じフレーム内では左眼画像、右眼画像の順に表示することを示す。また、例えば、「１０」は、左眼画像および右眼画像を交互に表示し、同じフレーム内では右眼画像、左眼画像の順に表示することを示す。
【０１４３】
なお、同じフレーム内で左眼画像、右眼画像の順に表示されることが決まっている場合には、この表示タイミング情報（LR_Display_Timing）を、１ビットの情報とすることも考えられる。この場合、例えば、「０」は、左眼画像および右眼画像の表示タイミングが同じであることを示す。また、「１」は、左眼画像および右眼画像を交互に表示し、同じフレーム内では左眼画像、右眼画像の順に表示することを示す。
なお、表示タイミング情報は、上述のようにＨＤＭＭＩ経由で自動的に読み出すだけでなく、ディスクプレーヤ２１０上で、ユーザに設定（選択）させることで取得する構成であってもよい。その場合、例えば、ユーザは、リモコン送信機２２７を操作することで、左眼画像および右眼画像の表示タイミングを設定する。この場合、リモコン送信機２２７は、ユーザ設定部を構成する。
【０１４４】
ディスクプレーヤ２１０のＣＰＵ２２１は、上述したようにＥ−ＥＤＩＤに含まれている表示タイミング情報、あるいはユーザにより設定された表示タイミング情報により、テレビ受信機２５０における左眼画像および右眼画像の表示タイミングを認識する。また、ＣＰＵ２２１は、ＢＤ／ＤＶＤドライブ２１４で再生された左眼画像データおよび右眼画像データの撮影タイミングを、例えば、これらの映像のエレメンタリストリーム内のメタデータや、ＢＤ／ＤＶＤディスク内のメタデータに付加されているメタデータにより認識する。
【０１４５】
ＣＰＵ２２１は、撮影タイミングと表示タイミングが異なる場合、映像信号処理回路２１７で、タイミング補正処理が行われるように制御する。このタイミング補正処理により、ＢＤ／ＤＶＤドライブ２１４で再生された左眼画像データおよび右眼画像データのタイミングが、左眼画像および右眼画像の表示タイミングと合うようにされる。
【０１４６】
「タイミング補正処理」
ディスクプレーヤ２１０の映像信号処理回路２１７におけるタイミング補正処理について説明する。撮影タイミングと表示タイミングが異なる場合には、以下の２通りがある。第１の場合は、左眼画像データおよび右眼画像データが交互に撮影されて得られたものであり、左眼画像および右眼画像が同じタイミングで表示される場合である。第２の場合は、左眼画像データおよび右眼画像データが同じタイミングで撮影されて得られたものであり、左眼画像および右眼画像が交互に表示される場合である。
【０１４７】
最初に、第１の場合に映像信号処理回路２１７で行われるタイミング補正処理を、図１５を参照して説明する。なお、この図１５は、同じフレーム内では左眼画像データ（Ｌ）および右眼画像データ（Ｒ）の順に撮影されている場合の例を示している。
【０１４８】
（ａ）第１の補正処理例
図１５（ａ）は、第１の補正処理例を示している。この第１の補正処理例は、左眼画像データ（Ｌ）および右眼画像データ（Ｒ）の双方のタイミングが補正される例である。このように双方のタイミングが補正されることで、タイミング補正時における左右の画像の画質劣化を同程度にできる。
【０１４９】
この場合、左眼画像データに関しては、各フレームにおいて、前後の左眼画像データ（Ｌ）を用いた補間処理により、０．２５フレーム期間だけ進んだタイミングの左眼画像データ（Ｌ′）が生成される。また、右眼画像データに関しては、各フレームにおいて、前後の右眼画像データ（Ｒ）を用いた補間処理により、０．２５フレーム期間だけ遅れたタイミングの右眼画像データ（Ｒ′）が生成される。このように生成された左眼画像データ（Ｌ′）および右眼画像データ（Ｒ′）のタイミングは各フレームで一致し、左眼画像および右眼画像の表示タイミングに合ったものとなる。
【０１５０】
（ｂ）第２の補正処理例
図１５（ｂ）は、第２の補正処理例を示している。この第２の補正処理例は、左眼画像データ（Ｌ）および右眼画像データ（Ｒ）の一方のタイミングが補正される例である。この場合、右眼画像データに関しては、前後の右眼画像データ（Ｒ）を用いた補間処理により、０．５フレーム期間だけタイミングがずらされた右眼画像データ（Ｒ′）が生成される。このように生成された右眼画像データ（Ｒ′）と、左眼画像データ（Ｌ）のタイミングは各フレームで一致し、左眼画像および右眼画像の表示タイミングに合ったものとなる。
【０１５１】
なお、図１５（ｂ）は、右眼画像データ（Ｒ）のタイミングが補正される例を示しているが、逆に、左眼画像データ（Ｌ）のタイミングが補正されてもよい。この実施の形態において、ディスクプレーヤ２１０では、ユーザは、リモコン送信機２２７の操作により、左眼画像データ（Ｌ）および右眼画像データ（Ｒ）のうちいずれのタイミングを補正するか選択可能とされる。ここで、リモコン送信機２２７は、タイミング補正する画像データを選択する選択部を構成する。この場合、タイミングを補正する画像データとして、効き目ではない方の画像を表示する画像データを選択することで、タイミング補正時における画質劣化の影響を抑えることができる。
【０１５２】
次に、第２の場合に映像信号処理回路２１７で行われるタイミング補正処理を、図１６を参照して説明する。なお、この図１６は、同じフレーム内では右眼画像および左眼画像の順に表示される場合の例を示している。
【０１５３】
（ａ）第１の補正処理例
図１６（ａ）は、第１の補正処理例を示している。この第１の補正処理例は、左眼画像データ（Ｌ）および右眼画像データ（Ｒ）の双方のタイミングが補正される例である。このように双方のタイミングが補正されることで、タイミング補正時における左右の画像の画質劣化を同程度にできる。
【０１５４】
この場合、左眼画像データに関しては、各フレームにおいて、前後の左眼画像データ（Ｌ）を用いた補間処理により、０．７５フレーム期間だけ進んだタイミングの左眼画像データ（Ｌ′）が生成される。また、右眼画像データに関しては、各フレームにおいて、前後の右眼画像データ（Ｒ）を用いた補間処理により、０．２５フレーム期間だけ進んだタイミングの右眼画像データ（Ｒ′）が生成される。このように生成された左眼画像データ（Ｌ′）および右眼画像データ（Ｒ′）のタイミングは０．５フレーム毎の交互となり、左眼画像および右眼画像の表示タイミングに合ったものとなる。
【０１５５】
（ｂ）第２の補正処理例
図１６（ｂ）は、第２の補正処理例を示している。この第２の補正処理例は、左眼画像データ（Ｌ）および右眼画像データ（Ｒ）の一方のタイミングが補正される例である。この場合、右眼画像データに関しては、前後の右眼画像データ（Ｒ）を用いた補間処理により、各フレームにおいて、０．５フレーム期間だけ進んだタイミングの右眼画像データ（Ｒ′）が生成される。このように生成された右眼画像データ（Ｒ′）と、左眼画像データ（Ｌ）のタイミングは０．５フレーム毎の交互となり、左眼画像および右眼画像の表示タイミングに合ったものとなる。
【０１５６】
なお、図１６（ｂ）は、右眼画像データ（Ｒ）のタイミングが補正される例を示しているが、逆に、左眼画像データ（Ｌ）のタイミングが補正されてもよい。この実施の形態において、ディスクプレーヤ２１０では、ユーザは、リモコン送信機２２７の操作により、左眼画像データ（Ｌ）および右眼画像データ（Ｒ）のうちいずれのタイミングを補正するか選択可能とされる。ここで、リモコン送信機２２７は、タイミング補正する画像データを選択する選択部を構成する。この場合、タイミングを補正する画像データとして、効き目ではない方の画像を表示する画像データを選択することで、タイミング補正時における画質劣化の影響を抑えることができる。
【０１５７】
［テレビ受信機におけるタイミング補正動作］
図１に示すＡＶシステム２００において、ディスクプレーヤ２１０で再生される左眼画像データおよび右眼画像データの撮影タイミングと、テレビ受信機２５０で表示される左眼画像および右眼画像の表示タイミングが異なる場合には、タイミング補正が行われる。このタイミング補正が、テレビ受信機２５０の３Ｄ信号処理部２５４で行われる場合について説明する。
【０１５８】
この実施の形態において、テレビ受信機２５０は、ディスクプレーヤ２１０より、左眼画像データおよび右眼画像データの撮影タイミング情報を取得する。すなわち、テレビ受信機２５０は、撮影タイミング情報を、ＨＤＭＩ受信部２５２で受信された立体画像データのブランキング期間から抽出して取得する。換言すれば、ディスクプレーヤ２１０は、ＨＤＭＩ送信部２１２から送信すべき立体画像データのブランキング期間に挿入することで、撮影タイミング情報をテレビ受信機２５０に供給する。
【０１５９】
この場合、ディスクプレーヤ２１０は、例えば、ＨＤＭＩのＡＶＩ(Auxiliary Video Information) InfoFrameパケットを用いて、撮影タイミング情報を立体画像データのブランキング期間に挿入する。AVI InfoFrameパケットは、上述したデータアイランド区間に配置される（図６参照）。図１７は、AVI InfoFrameパケットのデータ構造例を示している。ＨＤＭＩでは、当該AVIInfoFrameパケットにより、画像に関する付帯情報をソース機器からシンク機器に伝送可能となっている。
【０１６０】
第０バイトにデータパケットの種類を示す「Packet Type」が定義されている。AVI InfoFrameパケットの「Packet Type」は「0x82」となっている。第１バイトにパケットデータ定義のバージョン情報を記述する。第２バイトにパケット長を表す情報を記述する。AVI InfoFrameのそれぞれは、CEA-861-Dに定義されているので省略する。
【０１６１】
第１７バイトについて説明する。第１７バイトの第６ビットおよび第７ビットに、撮影タイミング情報（LR_Image_Timing）が配置される。
【０１６２】
例えば、「００」は、左眼画像データおよび右眼画像データの撮影タイミングが同じであることを示す。また、例えば、「０１」は、左眼画像データおよび右眼画像データは交互に撮影され、同じフレーム内では左眼画像データ、右眼画像データの順で撮影されたことを示す。また、例えば、「１０」は、左眼画像データおよび右眼画像データは交互に撮影され、同じフレーム内では右眼画像データ、左眼画像データの順で撮影されたことを示す。
【０１６３】
なお、同じフレーム内で左眼画像データ、右眼画像データの順に撮影されることが決まっている場合には、この撮影タイミング情報（LR_Image_Timing）を、１ビットの情報とすることも考えられる。この場合、例えば、「０」は、左眼画像データおよび右眼画像データの表示タイミングが同じであることを示す。また、「１」は、左眼画像データおよび右眼画像データは交互に撮影され、同じフレーム内では左眼画像データ、右眼画像データの順で撮影されたことを示す。
なお、撮影タイミング情報は、上述のようにＨＤＭＭＩ経由で自動的に読み出すだけでなく、テレビ受信機２５０で、ユーザに設定（選択）させることで取得する構成であってもよい。その場合、例えば、ユーザは、リモコン送信機２７７を操作することで、左眼画像データおよび右眼画像データのタイミングを設定する。この場合、リモコン送信機２７７は、ユーザ設定部を構成する。また、自動取得やユーザ設定なしに左眼画像データおよび右眼画像データのタイミングが同じであると見なして動作する構成であってもよい。
【０１６４】
「タイミング補正処理」
テレビ受信機２５０の３Ｄ信号処理部２５４におけるタイミング補正処理について説明する。撮影タイミングと表示タイミングが異なる場合には、以下の２通りがある。第１の場合は、左眼画像データおよび右眼画像データが交互に撮影されて得られたものであり、左眼画像および右眼画像が同じタイミングで表示される場合である。第２の場合は、左眼画像データおよび右眼画像データが同じタイミングで撮影されて得られたものであり、左眼画像および右眼画像が交互に表示される場合である。
【０１６５】
最初に、第１の場合に３Ｄ信号処理部２５４で行われるタイミング補正処理を、図１５および図１８を参照して説明する。なお、この図１５、図１８は、同じフレーム内では左眼画像データ（Ｌ）および右眼画像データ（Ｒ）の順に撮影されている場合の例を示している。
【０１６６】
（ａ）第１の補正処理例  
図１５（ａ）は、第１の補正処理例を示している。この第１の補正処理例は、左眼画像データ（Ｌ）および右眼画像データ（Ｒ）の双方のタイミングが補正される例である。この第１の補正処理例の説明は、上述のディスクプレーヤ２１０におけるタイミング補正動作の項目で説明しているので、省略する。
【０１６７】
（ｂ）第２の補正処理例
図１５（ｂ）は、第２の補正処理例を示している。この第２の補正処理例は、左眼画像データ（Ｌ）および右眼画像データ（Ｒ）の一方のタイミングが補正される例である。この第２の補正処理例の説明は、上述のディスクプレーヤ２１０におけるタイミング補正動作の項目で説明しているので、省略する。
【０１６８】
図１８は、第３の補正処理例を示している。この第３の補正処理例は、左眼画像データ（Ｌ）および右眼画像データ（Ｒ）を倍フレームレートの画像データに変換することで、タイミングが補正される例である。図１８（ａ）は、同一のフレーム画像が２度繰り返されて倍フレームレートの画像データとされている。また、図１８（ｂ）は、前後のフレーム画像の間に補間処理で生成されたフレーム画像Ｌ′、Ｒ′が挿入されて倍フレームレートの画像データとされている。
【０１６９】
このように倍フレームレートの画像データに変換してタイミング補正を行う場合、左眼画像および右眼画像が倍フレームレートで表示されることから、残像感を低減できる。また、図１８（ｂ）に示すように前後の画像データを用いた補間処理により倍フレームレートの画像データを得る場合には、滑らかな動きの画像を表示できる。
【０１７０】
次に、第２の場合に３Ｄ信号処理部２２９で行われるタイミング補正処理を、図１６を参照して説明する。なお、この図１６は、同じフレーム内では右眼画像および左眼画像の順に表示される場合の例を示している。
【０１７１】
（ａ）第１の補正処理例
図１６（ａ）は、第１の補正処理例を示している。この第１の補正処理例は、左眼画像データ（Ｌ）および右眼画像データ（Ｒ）の双方のタイミングが補正される例である。この第１の補正処理例の説明は、上述のディスクプレーヤ２１０におけるタイミング補正動作の項目で説明しているので、省略する。
【０１７２】
（ｂ）第２の補正処理例
図１６（ｂ）は、第２の補正処理例を示している。この第２の補正処理例は、左眼画像データ（Ｌ）および右眼画像データ（Ｒ）の一方のタイミングが補正される例である。この第２の補正処理例の説明は、上述のディスクプレーヤ２１０におけるタイミング補正動作の項目で説明しているので、省略する。
【０１７３】
上述したように、図１に示すＡＶシステム２００においては、ディスクプレーヤ２１０で再生される左眼画像データおよび右眼画像データの撮影タイミングと、テレビ受信機２５０で表示される左眼画像および右眼画像の表示タイミングが異なる場合には、タイミング補正が行われる。したがって、動きのある画像で画質を改善でき、また、視聴者の疲労感の軽減を図ることができる。
【０１７４】
また、図１に示すＡＶシステム２００において、ディスクプレーヤ２１０でタイミング補正が行われる場合、ディスクプレーヤ２１０では、テレビ受信機２５０から左眼画像および右眼画像の表示タイミング情報が取得され、左眼画像データおよび右眼画像データのタイミング補正が自動的に行われる。また、図１に示すＡＶシステム２００において、テレビ受信機２５０でタイミング補正が行われる場合、テレビ受信機２５０では、ディスクプレーヤ２１０から左眼画像データおよび右眼画像データの撮影タイミング情報が取得され、左眼画像データおよび右眼画像データのタイミング補正が自動的に行われる。したがって、ユーザの操作あるいは設定の手間が増加することがなく、また、ユーザの誤った操作、設定がないため常に正確なタイミング補正が可能となる。
【０１７５】
＜２．第２の実施の形態＞
［ＡＶシステムの構成例］
図１９は、第２の実施の形態としてのＡＶシステム２００Ａの構成例を示している。このＡＶシステム２００Ａは、ソース機器としてのゲーム機４００と、シンク機器としてのテレビ受信機２５０とを有している。テレビ受信機２５０は、図１のＡＶシステム２００におけるテレビ受信機２５０と同じものである。
【０１７６】
ゲーム機４００およびテレビ受信機２５０は、ＨＤＭＩケーブル３５０を介して接続されている。ゲーム機４００は、ＨＤＭＩ送信部（ＨＤＭＩＴＸ）４０２が接続されたＨＤＭＩ端子４０１が設けられている。ＨＤＭＩケーブル３５０の一端はゲーム機４００のＨＤＭＩ端子４０１に接続され、このＨＤＭＩケーブル３５０の他端はテレビ受信機２５０のＨＤＭＩ端子２５１に接続されている。
【０１７７】
図１９に示すＡＶシステム２００Ａにおいて、ゲーム機４００からの非圧縮の画像データ（映像信号）はＨＤＭＩケーブル３５０を介してテレビ受信機２５０に送信され、このテレビ受信機２５０ではゲーム機４００からの画像データによる画像が表示される。また、ゲーム機４００からの非圧縮の音声データ（音声信号）はＨＤＭＩケーブル３５０を介してテレビ受信機２５０に送信され、このテレビ受信機２５０ではゲーム機４００からの音声データによる音声が出力される。
【０１７８】
ゲーム機４００からテレビ受信機２５０に送られる画像データが立体画像を表示するための左眼画像データおよび右眼画像データを含む立体画像データ（３Ｄ画像データ）である場合、テレビ受信機２５０では、ゲーム画像として立体画像の表示が行われる。ゲーム機４００からテレビ受信機２５０への立体画像データの伝送方式は、図１に示すＡＶシステム２００におけるディスクプレーヤ２１０からテレビ受信機２５０への立体画像データの伝送方式と同様である（図９〜図１２参照）。
【０１７９】
ここで、テレビ受信機２５０で表示される左眼画像および右眼画像の表示タイミングとしては、上述したように、同時および交互の２種類がある。図１９に示すＡＶシステム２００Ａにおいて、ゲーム機４００で生成されるゲーム画像としての立体画像を表示するための左眼画像データおよび右眼画像データのタイミングは、テレビ受信機２５０における左眼画像および右眼画像の表示タイミングに合わせられる。
【０１８０】
［ゲーム機の構成例］
図２０は、ゲーム機４００の構成例を示している。
このゲーム機４００は、ＨＤＭＩ端子４０１と、ＨＤＭＩ送信部４０２と、イーサネットインタフェース（Ethernet I/F）４０４と、ネットワーク端子４０５を有している。また、このゲーム機４００は、入力インタフェース４０６と、コントロールパッド４０７と、ドライブインタフェース４０８と、ＤＶＤ／ＢＤ（Digital Versatile Disk/Blu-ray Disc）ドライブ４０９を有している。
【０１８１】
また、このゲーム機４００は、内部バス４１０と、ＣＰＵ４１１と、フラッシュＲＯＭ４１２と、ＤＲＡＭ４１３を有している。また、このゲーム機４００は、描画処理部４１４と、ＶＲＡＭ（Video Random Access Memory）４１５と、音声処理部４１６と、ＭＰＥＧデコーダ４１７を有している。なお、「イーサネット」、「Ｅｔｈｅｒｎｅｔ」および「Ｂｌｕ−ｒａｙ  Ｄｉｓｃ」は登録商標である。
【０１８２】
ＨＤＭＩ送信部（ＨＤＭＩソース）４０２は、ＨＤＭＩに準拠した通信により、非圧縮の（ベースバンド）の映像（画像）と音声のデータを、ＨＤＭＩ端子４０１から送出する。このＨＤＭＩ送信部４０１は、図１のＡＶシステム２００のディスクプレーヤ２１０におけるＨＤＭＩ送信部２１２と同様の構成とされている。
【０１８３】
ＣＰＵ４１１、フラッシュＲＯＭ４１２、ＤＲＡＭ４１３、イーサネットインタフェース４０４、入力インタフェース４０６およびドライブインタフェース４０８は、内部バス４１０に接続されている。また、描画処理部４１４、ＶＲＡＭ４１５、音声処理部４１６およびＭＰＥＧデコーダ４１７は、内部バス４１０に接続されている。ＤＶＤ／ＢＤドライブ４０９は、ドライブインタフェース４０８を介して内部バス４１０に接続されている。ＤＶＤ／ＢＤドライブ４０９は、ＤＶＤ等の記録媒体に記録されている映画等のコンテンツの再生、およびこれらの記録媒体に記録されているゲームソフト情報の再生等を行う。
【０１８４】
ＭＰＥＧデコーダ４１７は、ゲーム機４００が再生機として機能する場合、ＤＶＤ等の記録媒体から再生された圧縮された映像データ、音声データに対してデコード処理を行って非圧縮の映像データ、音声データを得る。
【０１８５】
ＣＰＵ４１１は、ゲーム機４００の各部の動作を制御する。フラッシュＲＯＭ４１２は、制御ソフトウェアの格納およびデータの保管を行う。ＤＲＡＭ４１３は、ＣＰＵ４１１のワークエリアを構成する。ＣＰＵ４１１は、フラッシュＲＯＭ４１２から読み出したソフトウェアやデータをＤＲＡＭ４１３上に展開してソフトウェアを起動させ、ゲーム機４００の各部を制御する。
【０１８６】
コントロールパッド４０７は、ユーザ操作部を構成している。入力インタフェース４０６は、コントロールパッド４０７からの操作入力信号を内部バス４１０に取り込む。描画処理部４１４は、描画エンジンを備えている。この描画処理部４１４は、ゲーム機４００がゲーム機として機能する場合、ゲームソフト情報に基づき、ユーザのコントロールパッド４０７からの操作に応じてゲーム画像を動的に作成し、ＶＲＡＭ４１５に展開する。
【０１８７】
この描画処理部４１４は、ゲーム画像データとして、２次元画像を表示するための画像データを生成する他に、立体画像を表示するための立体画像データ（左眼画像データ、右眼画像データ）を生成する。この場合、描画処理部４１４は、後述するように、テレビ受信機２５０における左眼画像および右眼画像の表示タイミング情報を用いて、生成する左眼画像データおよび右眼画像データのタイミングを、左眼画像および右眼画像の表示タイミングに合わせる。この描画処理部４１４におけるタイミング合わせの詳細は後述する。
【０１８８】
また、この描画処理部４１４は、立体画像を表示するための立体画像データをＨＤＭＩのＴＭＤＳチャネルで送信する際に、この立体画像データを伝送方式に応じた状態に加工処理する（図９〜図１２参照）。
【０１８９】
音声処理部４１６は、ゲーム機４００がゲーム機として機能する場合、ゲームソフト情報に基づき、ユーザのコントロールパッド２１７からの操作に応じて、ゲーム画像に対応したゲーム音声を得るための音声データを生成する。
【０１９０】
図２０に示すゲーム機４００の動作を簡単に説明する。描画処理部４１４では、ゲームソフト情報に基づき、ユーザのコントロールパッド４０７からの操作に応じてゲーム画像を表示するための画像データが動的に生成され、ＶＲＡＭ４１５に展開される。そして、このＶＲＡＭ４１５から画像データが読み出されて、ＨＤＭＩ送信部４０２に供給される。また、音声処理部４１６で生成された音声データは、ＨＤＭＩ送信部４０２に供給される。この画像および音声のデータは、ＨＤＭＩのＴＭＤＳチャネルにより、ＨＤＭＩ端子４０１からＨＤＭＩケーブルに送出される。
【０１９１】
ここで、生成すべき画像データが立体画像データ（左眼画像データ、右眼画像データ）である場合、左眼画像データおよび右眼画像データのタイミングは、以下のようにされる。すなわち、左眼画像データおよび右眼画像データのタイミングは、テレビ受信機２５０の左眼画像および右眼画像の表示タイミング情報に基づいて、左眼画像および右眼画像の表示タイミングに合うようにされる。
【０１９２】
また、この場合、音声処理部４１６では、ゲームソフト情報に基づき、ユーザのコントロールパッド４０７からの操作に応じて、ゲーム画像に対応したゲーム音声を得るための音声データが生成される。この音声データは、ＨＤＭＩ送信部４０２に供給される。そして、ＨＤＭＩ送信部４０２に供給されるゲームの画像および音声のデータは、ＨＤＭＩのＴＭＤＳチャネルにより、ＨＤＭＩ端子４０１からＨＤＭＩケーブルに送出される。
【０１９３】
［ゲーム機におけるタイミング合わせ動作］
図１９に示すＡＶシステム２００Ａにおいて、描画処理部４１４は、立体画像データ（左眼画像データ、右眼画像データ）を生成する際、左眼画像データおよび右眼画像データのタイミングを、左眼画像および右眼画像の表示タイミングに合わせる。
【０１９４】
この実施の形態において、ゲーム機４００は、上述の図１のＡＶシステム２００のディスクプレーヤ２１０と同様にして、テレビ受信機２５０より、左眼画像および右眼画像の表示タイミング情報を取得する。すなわち、ゲーム機４００（ＣＰＵ４１１）は、テレビ受信機２５０から表示タイミング情報（LR_Display_Timing）が含まれたＥ−ＥＤＩＤ（図１３，図１４参照）を読み出すことで、表示タイミング情報を取得する。換言すれば、テレビ受信機２５０は、Ｅ−ＥＤＩＤに表示タイミング情報を含めておくことで、当該情報を、ゲーム機４００に供給する。
なお、表示タイミング情報は、上述のようにＨＤＭＩ経由で自動的に取得するだけでなく、ゲーム機４００上で、ユーザに設定（選択）させることによって取得してもよい。
【０１９５】
ゲーム機４００のＣＰＵ４１１は、上述したようにＥ−ＥＤＩＤに含まれている表示タイミング情報、あるいはユーザが設定した表示タイミング情報により、テレビ受信機２５０における左眼画像および右眼画像の表示タイミングを認識する。ＣＰＵ４１１は、この表示タイミング情報に基づいて描画処理部４１４を制御し、描画処理部４１４で生成される左眼画像データおよび右眼画像データのタイミングを、左眼画像および右眼画像の表示タイミングに合わせる。
【０１９６】
ここで、左眼画像および右眼画像が同じタイミングで表示される場合、描画処理部４１４では、例えばフレーム毎に、３Ｄ（３次元）空間で左右画像共通のモデリングが行われて、左眼画像データおよび右眼画像データが生成される。これに対して、左眼画像および右眼画像が交互に表示される場合、描画処理部４１４では、例えば０．５フレーム毎に、３Ｄ（３次元）空間で、左画像のモデリングおよび右画像のモデリングが行われて、左眼画像データおよび右眼画像データが生成される。
【０１９７】
上述したように、図１９に示すＡＶシステム２００Ａにおいては、ゲーム機４００で生成されるゲーム画像としての立体画像を表示するための左眼画像データおよび右眼画像データのタイミングは、テレビ受信機２５０における左眼画像および右眼画像の表示タイミングに合わせられる。したがって、動きのある画像で画質を改善でき、また、視聴者の疲労感の軽減を図ることができる。
【０１９８】
また、図１９に示すＡＶシステム２００Ａにおいて、ゲーム機４００では、テレビ受信機２５０から左眼画像および右眼画像の表示タイミング情報が取得され、この表示タイミング情報に基づいて、描画処理部４１４で生成される左眼画像データおよび右眼画像データのタイミングが、テレビ受信機２５０における左眼画像および右眼画像の表示タイミングに自動的に合わせられる。したがって、ユーザの操作手間が増加することがなく、また、ユーザの誤った操作、設定がないため常に正確なタイミング合わせが可能となる。
【０１９９】
＜３．第３の実施の形態＞
［ＡＶシステムの構成例］
図２１は、第３の実施の形態としてのＡＶシステム２００Ｂの構成例を示している。このＡＶシステム２００Ｂは、ソース機器としてのディスクプレーヤ２１０と、リピータ機器としてのＡＶアンプ３００と、シンク機器としてのテレビ受信機２５０を有している。ディスクプレーヤ２１０およびテレビ受信機２５０は、図１のＡＶシステム２００におけるディスクプレーヤ２１０およびテレビ受信機２５０と同様のものである。
【０２００】
図２１に示すＡＶシステム２００Ｂは、ディスクプレーヤ２１０とテレビ受信機２５０との間に、ＡＶアンプ３００を接続したものである。ディスクプレーヤ２１０とＡＶアンプ３００は、ＨＤＭＩケーブル３５１を介して接続されている。ＡＶアンプ３００には、ＨＤＭＩ受信部（ＨＤＭＩＲＴＸ）３０２ａが接続されたＨＤＭＩ端子３０１ａが設けられている。ＨＤＭＩケーブル３５１の一端はディスクプレーヤ２１０のＨＤＭＩ端子２１１に接続され、このＨＤＭＩケーブル３５１の他端はＡＶンプ３００のＨＤＭＩ端子３０１ａに接続されている。
【０２０１】
また、ＡＶアンプ３００とテレビ受信機２５０は、ＨＤＭＩケーブル３５２を介して接続されている。ＡＶアンプ３００には、ＨＤＭＩ送信部（ＨＤＭＩＴＸ）３０２ｂが接続されたＨＤＭＩ端子３０１ｂが設けられている。ＨＤＭＩケーブル３５２の一端はＡＶアンプ３００のＨＤＭＩ端子３０１ｂに接続され、このＨＤＭＩケーブル３５２の他端はテレビ受信機２５０のＨＤＭＩ端子２５１に接続されている。
【０２０２】
図２１に示すＡＶシステム２００Ｂにおいて、ディスクプレーヤ２１０からの非圧縮の画像データ（映像信号）は、ＨＤＭＩケーブル３５１、ＡＶアンプ３００およびＨＤＭＩケーブル３５２を介してテレビ受信機２５０に送信され、このテレビ受信機２５０ではディスクプレーヤ２１０からの画像データによる画像が表示される。また、ディスクプレーヤ２１０からの非圧縮の音声データ（音声信号）は、ＨＤＭＩケーブル３５１、ＡＶアンプ３００およびＨＤＭＩケーブル３５２を介してテレビ受信機２５０に送信され、このテレビ受信機２５０ではディスクプレーヤ２１０からの音声データによる音声が出力される。なお、音声に関しては、ユーザの選択操作に応じて、ＡＶアンプ３００に外付けされた図示しないスピーカ群から出力される場合もある。
【０２０３】
ディスクプレーヤ２１０からテレビ受信機２５０に送られる画像データが立体画像を表示するための左眼画像データおよび右眼画像データを含む立体画像データ（３Ｄ画像データ）である場合、テレビ受信機２５０では、立体画像の表示が行われる。ディスクプレーヤ２１０からテレビ受信機２５０への立体画像データの伝送方式は、図１に示すＡＶシステム２００の場合と同様である（図９〜図１２参照）。
【０２０４】
上述したように、ディスクプレーヤ２１０で再生される左眼画像データおよび右眼画像データの撮影タイミングとしては、同時および交互の２種類がある。また、テレビ受信機２５０で表示される左眼画像および右眼画像の表示タイミングとしては、同時および交互の２種類がある。
【０２０５】
図２１に示すＡＶシステム２００Ｂにおいて、ディスクプレーヤ２１０で再生される左眼画像データおよび右眼画像データの撮影タイミングと、テレビ受信機２５０で表示される左眼画像および右眼画像の表示タイミングが異なる場合には、ＡＶアンプ３００により、タイミング補正が行われる。このタイミング補正では、左眼画像データおよび右眼画像データのタイミングが、左眼画像および右眼画像の表示タイミングに合うようにされる。
【０２０６】
ここで、撮影タイミングと表示タイミングが異なる場合には、以下の２通りがある。一つは、左眼画像データおよび右眼画像データが交互に撮影して得られたものであり、左眼画像および右眼画像が同じタイミングで表示される場合である。他の一つは、左眼画像データおよび右眼画像データが同じタイミングで撮影して得られたものであり、左眼画像および右眼画像が交互に表示される場合である。
【０２０７】
［ＡＶアンプの構成例］
図２２は、ＡＶアンプ３００の構成例を示している。このＡＶアンプ３００は、ＨＤＭＩ端子３０１ａ，３０１ｂと、ＨＤＭＩ受信部３０２ａと、ＨＤＭＩ送信部３０２ｂを有している。また、このＡＶアンプ３００は、映像・グラフィック処理回路３０５と、音声処理回路３０７と、音声増幅回路３０８と、音声出力端子３０９ａ〜３０９ｆを有している。また、このＡＶアンプ３００は、内部バス３１２と、ＣＰＵ３１３と、フラッシュＲＯＭ３１４と、ＤＲＡＭ３１５を有している。
【０２０８】
ＨＤＭＩ受信部３０２ａは、ＨＤＭＩに準拠した通信により、ＨＤＭＩケーブル３５１を介してＨＤＭＩ端子３０１ａに供給される非圧縮の映像（画像）と音声のデータを受信する。詳細説明は省略するが、このＨＤＭＩ受信部３０２ａは、図１のＡＶシステム２００のテレビ受信機２５０におけるＨＤＭＩ受信部２５２と同様の構成とされている。
【０２０９】
ＨＤＭＩ送信部３０２ｂは、ＨＤＭＩに準拠した通信により、非圧縮の映像（画像）と音声のデータを、ＨＤＭＩ端子３０１ｂからＨＤＭＩケーブル３５２に送出する。詳細説明は省略するが、このＨＤＭＩ送信部３０２ｂは、図１のＡＶシステム２００のディスクプレーヤ２１０におけるＨＤＭＩ送信部２１２と同様の構成とされている。
【０２１０】
音声処理回路３０７は、ＨＤＭＩ受信部３０２ａで得られた音声データに対して、例えば５．１chサラウンドを実現するための各チャネルの音声データを生成する処理、所定の音場特性を付与する処理、デジタル信号をアナログ信号に変換する処理等を行う。音声増幅回路３０８は、音声処理回路３０７から出力される各チャネルの音声信号を増幅して、音声出力端子３０９ａ〜３１９ｆに出力する。
【０２１１】
また、音声処理回路３０７は、さらに、ＨＤＭＩ受信部３０２ａで得られた音声データを、必要な処理を施した後に、ＨＤＭＩ送信部３０２ｂに供給する。また、映像・グラフィック処理回路３０５は、ＨＤＭＩ受信部３０２ａで得られた映像（画像）データを、必要に応じて画像変換処理、グラフィックスデータの重畳処理等の処理を施して、ＨＤＭＩ送信部３０２ｂに供給する。
【０２１２】
ＣＰＵ３１３は、ＡＶアンプ３００の各部の動作を制御する。フラッシュＲＯＭ３１４は、制御ソフトウェアの格納およびデータの保管を行う。ＤＲＡＭ３１５は、ＣＰＵ３１３のワークエリアを構成する。ＣＰＵ３１３は、フラッシュＲＯＭ３１４から読み出したソフトウェアやデータをＤＲＡＭ３１５上に展開してソフトウェアを起動させ、ＡＶアンプ３００の各部を制御する。ＣＰＵ３１３、フラッシュＲＯＭ３１４およびＤＲＡＭ３１５は、内部バス３１２に接続されている。
【０２１３】
映像・グラフィック処理回路３０５は、ＨＤＭＩ受信部３０２ａで受信された立体画像データ（３Ｄ画像データ）に対して、伝送方式に対応した処理（デコード処理）を行って、左眼画像データおよび右眼画像データを生成する。また、映像・グラフィック処理回路３０５は、処理後の立体画像データ（左眼画像データ、右眼画像データ）に対して、伝送方式に応じた状態に加工処理して（図９〜図１２参照）、ＨＤＭＩ送信部３０２ｂに供給する。
【０２１４】
また、映像・グラフィック処理回路３０５は、ＨＤＭＩ受信部３０２ａで受信されて得られた左眼画像データおよび右眼画像データに対して、必要に応じて、タイミング補正を行う。その場合、この映像・グラフィック処理回路３０５はタイミング補正部を構成する。この映像・グラフィック処理回路３０５におけるタイミング補正の詳細は後述する。
【０２１５】
図２２に示すＡＶアンプ３００の動作を簡単に説明する。ＨＤＭＩ受信部３０２ａでは、ＨＤＭＩ端子３０１ａにＨＤＭＩケーブル３５１を介して接続されているディスクプレーヤ２１０から送信されてくる、映像（画像）データおよび音声データが取得される。この映像データおよび音声データは、それぞれ、映像・グラフィック処理回路３０５および音声処理回路３０７を介して、ＨＤＭＩ送信部３０２ｂに供給され、ＨＤＭＩ端子３０１ｂからＨＤＭＩケーブル３５２を介してテレビ受信機２５０に送信される。これにより、ＡＶアンプ３００は、リピータ機能を発揮する。
【０２１６】
なお、このＡＶアンプ３００を通じて音声を出力する場合、音声処理回路３０７では、ＨＤＭＩ受信部３０２ａで得られた音声データに対して、５．１chサラウンドを実現するための各チャネルの音声データを生成する処理、所定の音場特性を付与する処理、デジタル信号をアナログ信号に変換する処理等の必要な処理が施される。そして、各チャネルの音声信号は、音声増幅回路３０８で増幅された後に音声出力端子３１９ａ〜３１９ｆに出力される。
【０２１７】
「タイミング補正処理」
ＡＶアンプ３００の映像・グラフィック処理回路３０５におけるタイミング補正処理について説明する。
【０２１８】
この実施の形態において、ＡＶアンプ３００は、上述の図１のＡＶシステム２００のテレビ受信機２５０と同様にして、ディスクプレーヤ２１０より、左眼画像データおよび右眼画像データの撮影タイミング情報を取得する。すなわち、ＡＶアンプ３００は、ＨＤＭＩ受信部３０２ｂで受信された立体画像データのブランキング期間に配置された、撮影タイミング情報（LR_Image_Timing）が含まれたAVI InfoFrameパケット（図１７参照）を抽出することで、撮影タイミング情報を取得する。換言すれば、ディスクプレーヤ２１０は、ＨＤＭＩ送信部２１２から送信すべき立体画像データのブランキング期間に挿入することで、撮影タイミング情報をＡＶアンプ３００に供給する。
なお、撮影タイミング情報は、上述のようにＨＤＭＩ経由で自動的に取得するだけでなく、ＡＶアンプ３００上で、ユーザに設定（選択）させることによって取得してもよい。また、撮影タイミング情報に関しては、上述したように、自動取得やユーザ設定なしに、左眼画像データおよび右眼画像データのタイミングが同じであると見なして動作する構成であってもよい。
【０２１９】
この実施の形態において、ＡＶアンプ３００は、上述の図１のＡＶシステム２００のディスクプレーヤ２１０と同様にして、テレビ受信機２５０より、左眼画像および右眼画像の表示タイミング情報を取得する。すなわち、ＡＶアンプ３００（ＣＰＵ３１３）は、テレビ受信機２５０から表示タイミング情報（LR_Display_Timing）が含まれたＥ−ＥＤＩＤ（図１３，図１４参照）を読み出すことで、表示タイミング情報を取得する。換言すれば、テレビ受信機２５０は、Ｅ−ＥＤＩＤに表示タイミング情報を含めておくことで、当該情報を、ＡＶアンプ３００に供給する。
なお、表示タイミング情報は、上述のようにＨＤＭＩ経由で自動的に取得するだけでなく、ＡＶアンプ３００上で、ユーザに設定（選択）させることによって取得してもよい。
【０２２０】
ＡＶアンプ３００のＣＰＵ３１３は、上述したようにＥ−ＥＤＩＤに含まれている表示タイミング情報、あるいはユーザが設定した表示タイミング情報により、テレビ受信機２５０における左眼画像および右眼画像の表示タイミングを認識する。また、ＡＶアンプ３００のＣＰＵ３１３は、上述したように AVI InfoFrameパケットに含まれている撮影タイミング情報、あるいはユーザが設定したタイミング情報により、ディスクプレーヤ２１０から送られている左眼画像データおよび右眼画像データの撮影タイミングを認識する。なお、ＡＶアンプ３００のＣＰＵ３１３は、撮影タイミング情報の自動取得やユーザ設定がない場合、左眼画像データおよび右眼画像データのタイミングが同じであると見なす。
【０２２１】
ＣＰＵ３１３は、撮影タイミングと表示タイミングが異なる場合、映像・グラフィック処理回路３０５で、タイミング補正処理が行われるように制御する。このタイミング補正処理により、ディスクプレーヤ２１０のＢＤ／ＤＶＤドライブ２１４で再生された左眼画像データおよび右眼画像データのタイミングが、テレビ受信機２５０における左眼画像および右眼画像の表示タイミングに合うようにされる。
【０２２２】
撮影タイミングと表示タイミングが異なる場合には、以下の２通りがある。第１の場合は、左眼画像データおよび右眼画像データが交互に撮影されて得られたものであり、左眼画像および右眼画像が同じタイミングで表示される場合である。第２の場合は、左眼画像データおよび右眼画像データが同じタイミングで撮影されて得られたものであり、左眼画像および右眼画像が交互に表示される場合である。
【０２２３】
第１の場合に映像・グラフィック処理回路３０５で行われるタイミング補正処理は、上述の図１に示すＡＶシステム２００におけるディスクプレーヤ２１０の映像信号処理回路２１７が第１の場合に行うタイミング補正処理と同様である（図１５（ａ），（ｂ）参照）。この場合、補正後の左眼画像データおよび右眼画像データのタイミングは各フレームで一致し、左眼画像および右眼画像の表示タイミングに合ったものとなる。
【０２２４】
また、第２の場合に映像・グラフィック処理回路３０５で行われるタイミング補正処理は、上述の図１に示すＡＶシステム２００におけるディスクプレーヤ２１０の映像信号処理回路２１７が第２の場合に行うタイミング補正処理と同様である（図１６（ａ），（ｂ）参照）。この場合、補正後の左眼画像データおよび右眼画像データのタイミングは０．５フレーム毎の交互となり、左眼画像および右眼画像の表示タイミングに合ったものとなる。
【０２２５】
上述したように、図２１に示すＡＶシステム２００Ｂにおいては、ディスクプレーヤ２１０で再生される左眼画像データおよび右眼画像データの撮影タイミングと、テレビ受信機２５０で表示される左眼画像および右眼画像の表示タイミングが異なる場合には、ＡＶアンプ３００でタイミング補正が行われる。そのため、テレビ受信機２５０で受信される左眼画像データおよび右眼画像データのタイミングは、当該テレビ受信機２５０における左眼画像および右眼画像の表示タイミングに合ったものとなる。したがって、動きのある画像で画質を改善でき、また、視聴者の疲労感の軽減を図ることができる。
【０２２６】
また、図２１に示すＡＶシステム２００において、ＡＶアンプ３００では、テレビ受信機２５０から左眼画像および右眼画像の表示タイミング情報が取得され、ディスクプレーヤ２１０から左眼画像データおよび右眼画像データの撮影タイミング情報が取得される。そして、これらの情報に基づいて、ＡＶアンプ３００では、ディスクプレーヤ２１０からテレビ受信機２５０に中継する左眼画像データおよび右眼画像データのタイミングが、テレビ受信機２５０における左眼画像および右眼画像の表示タイミングに自動的に合わせられる。したがって、ユーザの操作手間が増加することがなく、また、ユーザの誤った操作、設定がないため常に正確なタイミング合わせが可能となる。
【０２２７】
なお、図２１のＡＶシステム２００Ｂのように、ディスクプレーヤ２１０とテレビ受信機２５０との間にＡＶアンプ３００が介在されている場合にあっても、図１のＡＶシステム２００と同様に、ディスクプレーヤ２１０あるいはテレビ受信機２５０で、タイミング補正を行うこともできる。その場合、ディスクプレーヤ２１０は、ＡＶアンプ３００を介して、テレビ受信機２５０から左眼画像および右眼画像の表示タイミング情報を取得する。また、テレビ受信機２５０は、ＡＶアンプ３００を介して、ディスクプレーヤ２１０からの撮影タイミング情報を取得する。
【０２２８】
例えば、図２１のＡＶシステム２００Ｂのような構成で、ＡＶアンプ３００と、テレビ受信機２５０が共にタイミング補正機能を持っている場合が考えられる。この場合、上述したようにＡＶアンプ３００でタイミング補正が行われるとき、ＡＶアンプ３００からテレビ受信機２５０に供給される撮影タイミング情報として、テレビ受信機２５０における表示タイミング情報をセットしてあげることで、テレビ受信機２５０側での補正処理を無効にできる。これにより、左眼画像データおよび右眼画像データに対して二重にタイミング補正処理が行われる不都合を防止できる。
【０２２９】
＜４．変形例＞
なお、上述実施の形態は、ＨＤＭＩの伝送路を用いるものを示している。しかし、この発明は、ＨＤＭＩ以外の非圧縮映像信号の伝送路、例えば、ＤＶＩ(Digital Visual Interface)、ＤＰ(Display Port)インタフェース、ワイヤレス伝送、さらに今後普及すると思われるギガビットEthernet・光ファイバーの伝送路を用いるものにも同様に適用できる。
【０２３０】
例えば、ＤＶＩの場合、上述したＨＤＭＩと同様に、映像信号の対応画像フォーマット（解像度、フレームレート等）を、受信装置が保有するＥ−ＥＤＩＤと呼ばれる領域に記憶する規格が定義されている。したがって、このＤＶＩの場合、上述したＨＤＭＩの場合と同様にして、送信装置は、ＤＤＣ(Display Data Channel)を用いて受信装置のＥ−ＥＤＩＤから左眼画像および右眼画像の表示タイミング情報を取得できる。そのため、送信装置は、受信装置側の左眼画像および右眼画像の表示タイミングに合うように左眼画像データおよび右眼画像データの補正あるいは生成を行うことができる。
【０２３１】
また、上述実施の形態においては、ディスクプレーヤ２１０、ゲーム機４００、ＡＶアンプ３００は、テレビ受信機２５０からＥ−ＥＤＩＤを読み出すことで、左眼画像および右眼画像の表示タイミング情報を得るものを示した。また、上述実施の形態においては、テレビ受信機２５０、ＡＶアンプ３００は、受信された立体画像データの垂直ブランキング期間に配置されたAVI InfoFrameパケットを抽出することで、左眼画像データおよび右眼画像データの撮影タイミング情報を得るものを示した。
【０２３２】
しかし、各機器がこれらの情報を取得する手段は、これに限定されない。例えば、ＨＤＭＩケーブルの制御データラインであるＣＥＣラインを用いて通信を行うことで、これらの情報を取得してもよい。また、例えば、上述したＨＤＭＩケーブルの所定ライン（例えば、リザーブライン、ＨＰＤライン）を用いて構成される双方向通信路を用いた通信により、各機器はこれらの情報を取得してもよい。
【０２３３】
また、上述実施の形態において、送信装置がディスクプレーヤ２１０、ゲーム機４００であり、中継装置がＡＶアンプ３００であり、受信装置がテレビ受信機２５０である例を示した。しかし、送信装置、中継装置、受信装置は、これらに限定されるものではない。例えば、送信装置としては、ディスクプレーヤ２１０、ゲーム機４００以外に、ＤＶＤレコーダ、セットトップボックス、その他のＡＶソースであってもよい。また、受信装置としては、テレビ受信機２５０の他に、プロジェクタ、ＰＣ用モニタ、その他のディスプレイであってもよい。
【産業上の利用可能性】
【０２３４】
この発明は、ユーザの操作または設定の手間を増やすことなく、動きのある画像での画質改善および視聴者の疲労感の軽減を図ることができ、送信装置から立体画像データを送信し、受信装置側で左眼画像、右眼画像を表示して視聴者に立体画像を提供するＡＶシステムに適用できる。
【符号の説明】
【０２３５】
２００，２００Ａ，１００Ｂ・・・ＡＶシステム、２１０・・・ディスクプレーヤ、２１１・・・ＨＤＭＩ端子、２１２・・・ＨＤＭＩ送信部、２１４・・・ＢＤ／ＤＶＤドライブ、２１７・・・映像処理回路、２２１・・・ＣＰＵ、２５０・・・テレビ受信機、２５１・・・ＨＤＭＩ端子、２５２・・・ＨＤＭＩ受信部、２５４・・・３Ｄ信号処理部、２６２・・・表示パネル、２７１・・・ＣＰＵ、３００・・・ＡＶアンプ、３０１ａ，３０１ｂ・・・ＨＤＭＩ端子、３０２ａ・・・ＨＤＭＩ受信部、３０２ｂ・・・ＨＤＭＩ送信部、３０５・・・映像・グラフィック処理回路、３１３・・・ＣＰＵ、３５０，３５１，３５２・・・ＨＤＭＩケーブル、４００・・・ゲーム機、４０１・・・ＨＤＭＩ端子、４０２・・・ＨＤＭＩ送信部、４９７・・・コントロールパッド、４０９・・・ＤＶＤ／ＢＤドライブ、４１１・・・ＣＰＵ、４１４・・・描画処理部、４１５・・・ＶＲＡＭ
【図１】
2010263382.tif 000003
【図２】
2010263382.tif 000004
【図３】
2010263382.tif 000005
【図４】
2010263382.tif 000006
【図５】
2010263382.tif 000007
【図６】
2010263382.tif 000008
【図７】
2010263382.tif 000009
【図８】
2010263382.tif 000010
【図９】
2010263382.tif 000011
【図１０】
2010263382.tif 000012
【図１１】
2010263382.tif 000013
【図１２】
2010263382.tif 000014
【図１３】
2010263382.tif 000015
【図１４】
2010263382.tif 000016
【図１５】
2010263382.tif 000017
【図１６】
2010263382.tif 000018
【図１７】
2010263382.tif 000019
【図１８】
2010263382.tif 000020
【図１９】
2010263382.tif 000021
【図２０】
2010263382.tif 000022
【図２１】
2010263382.tif 000023
【図２２】
2010263382.tif 000024